(57)【特許請求の範囲】
【請求項１】
画像を表示可能な表示部及び前記表示部外の非表示部を有する表示パネルと、
前記非表示部に取り付けられ、外部の信号供給源から供給される入力信号を処理して生成した出力信号を前記表示部に出力することで前記表示パネルを駆動するものであって、前記表示パネルの辺部に沿って長手状をなすパネル駆動部と、
前記非表示部に設けられ、前記パネル駆動部に接続される複数のパネル側出力端子部と、
前記複数のパネル側出力端子部に含まれ、前記パネル駆動部の長辺に沿って並列する形で配される複数のパネル側画像出力端子部と、
前記複数のパネル側出力端子部に含まれ、前記パネル駆動部の長辺に沿って並列する形で配される複数のパネル側制御出力端子部と、
前記非表示部に設けられ、前記パネル側画像出力端子部から前記パネル駆動部の長辺を横切る形で引き出されて前記表示部に向けて扇状に広がるよう引き回されるとともに、前記出力信号に含まれる画像信号を伝送する複数の画像信号配線と、
前記非表示部に設けられ、前記パネル側制御出力端子部から前記パネル駆動部の短辺を横切る形で引き出されて前記表示部に向けて引き回されるとともに、前記出力信号に含まれる制御信号を伝送する複数の制御信号配線と、を備え、
前記複数の制御信号配線には、第１制御信号配線と、少なくとも一部における線幅が前記第１制御信号配線よりも拡幅されてなる第２制御信号配線とが少なくとも含まれており、
前記第１制御信号配線及び前記第２制御信号配線は、相対的に前記パネル側制御出力端子部の近くに配される第１配線部と、相対的に前記パネル側制御出力端子部から遠くに配され且つその一部が前記第１配線部の一部に対して重畳配置される第２配線部とをそれぞれ少なくとも有しており、
前記第１配線部と前記第２配線部との間に介在する形で配されるとともに前記第１配線部と前記第２配線部との重畳部位に開口することで両配線部を接続するコンタクトホールを有する絶縁膜が備えられており、
前記絶縁膜は、前記第２制御信号配線を構成する前記第１配線部と前記第２配線部とを接続する前記コンタクトホールの数が、前記第１制御信号配線を構成する前記第１配線部と前記第２配線部とを接続する前記コンタクトホールの数よりも多くなるよう形成されている表示装置。
【請求項２】
前記複数のパネル側制御出力端子部には、前記第１制御信号配線が接続されるとともに、前記複数のパネル側画像出力端子部のうちの端に位置するパネル側画像出力端子部に対して隣り合う形で配される第１パネル側制御出力端子部と、前記第２制御信号配線が接続されるとともに、前記端に位置するパネル側画像出力端子部に対して間に前記第１パネル側制御出力端子部を挟む形で配される第２パネル側制御出力端子部とが含まれている請求項１記載の表示装置。
【請求項３】
前記表示部には、多数個のスイッチング素子が行列状に並列配置されているのに対し、前記非表示部には、少なくとも前記制御信号配線のうちの前記表示部側の端部に接続されるとともに前記スイッチング素子への前記制御信号の供給を制御する行制御回路部と、少なくとも前記画像信号配線のうちの前記表示部側の端部に接続されるとともに前記スイッチング素子への前記画像信号の供給を制御する列制御回路部とが設けられている請求項１または請求項２に記載の表示装置。
【請求項４】
前記第２制御信号配線には、前記制御信号としてクロック信号を伝送するクロック制御信号配線と、前記制御信号として前記行制御回路部または前記列制御回路部を駆動するための電源電圧信号を伝送する電源制御信号配線とが少なくとも含まれている請求項３記載の表示装置。
【請求項５】
前記第１制御信号配線には、途中に蛇行した蛇行部を有するものが含まれており、
前記行制御回路部と前記列制御回路部との少なくともいずれか一方には、前記蛇行部を有する前記第１制御信号配線に対して電気的に接続されるＥＳＤ保護回路が内蔵されている請求項３または請求項４記載の表示装置。
【請求項６】
前記スイッチング素子、前記行制御回路部及び前記列制御回路部は、それぞれ多結晶化されたシリコン薄膜を有している請求項３から請求項５のいずれか１項に記載の表示装置。
【請求項７】
前記第２制御信号配線は、少なくとも前記パネル側制御出力端子部から引き出されて前記パネル駆動部の前記短辺を横切る部分における線幅が部分的に拡幅されてなる請求項１から請求項６のいずれか１項に記載の表示装置。
【請求項８】
前記非表示部には、前記制御信号配線に接続されることで前記制御信号配線の導通状態を検査可能な検査配線が設けられており、
前記検査配線には、前記第１制御信号配線に接続される第１検査配線と、前記第２制御信号配線のうち線幅が拡幅された部分よりも前記表示部寄りの部分に接続される第２検査配線とが含まれている請求項７記載の表示装置。
【請求項９】
前記制御信号配線は、前記パネル側制御出力端子部からの引き出し方向が、前記画像信号配線における前記パネル側画像出力端子部からの引き出し方向とは反対とされている請求項１から請求項８のいずれか１項に記載の表示装置。
【請求項１０】
前記複数のパネル側制御出力端子部は、前記パネル駆動部の長辺における端位置に配されている請求項１から請求項９のいずれか１項に記載の表示装置。
【請求項１１】
前記非表示部には、前記パネル駆動部に接続されるパネル側入力端子部が、前記パネル側出力端子部に対して前記パネル駆動部の前記短辺に沿う方向について並んで配設されており、
前記制御信号配線は、前記パネル側出力端子部と前記パネル側入力端子部との間を通る形で配されている請求項１から請求項１０のいずれか１項に記載の表示装置。
【請求項１２】
前記表示パネルは、一対の基板間に液晶を封入してなる液晶パネルとされる請求項１から請求項１１のいずれか１項に記載の表示装置。
【請求項１３】
前記液晶パネルに対して対向状をなし且つ表示側とは反対側に配されるとともに前記液晶パネルに対して光を供給可能な照明装置を備える請求項１２記載の表示装置。
【発明の詳細な説明】
【技術分野】
【０００１】  本発明は、表示装置に関する。
【背景技術】
【０００２】  携帯電話、スマートフォン、タブレット型ノートパソコンなどの携帯型の情報端末装置やコンピュータなどの電子機器には、液晶パネルなどの表示パネルを備えた表示装置が用いられている。このような表示装置は、画像を表示する表示部を有する表示パネルと、信号供給源から供給される入力信号を処理して生成した出力信号を表示部に供給することで表示パネルを駆動するＬＳＩを有するドライバとを備えている。上記のように一般的に中小型に分類される表示装置においては、ドライバの実装方法として、ドライバを表示パネルのうち表示部外の非表示部に直接実装する、ＣＯＧ（Chip On Glass）実装技術を用いるのが好ましい。なお、この種の表示装置の一例として下記特許文献１に記載されたものが知られている。
【先行技術文献】
【特許文献】
【０００３】
【特許文献１】特開２０１０−２４３５２４号公報
【０００４】（発明が解決しようとする課題）  上記のような表示装置では、表示パネルの非表示部には、横長のドライバの出力端子部に接続されるパネル側出力端子部と、パネル側出力端子部から表示部に向けて引き回される画像信号配線及び制御信号配線とが設けられている。パネル側出力端子部は、表示部の精細度（解像度）に応じてドライバの長辺方向に沿って多数が並列配置されているため、画像信号配線及び制御信号配線は、パネル側出力端子部から表示部に向けて扇状に広がるようにして引き回されている。このため、表示部の精細度を高めて画像信号配線の本数を増加した場合、画像信号配線及び制御信号配線が互いに交差しないような配線設計を行うには、パネル側出力端子部と表示部との間の距離を大きくせざるを得なくなり、そうなると非表示部を拡張する必要が生じる。その結果、表示パネル及び表示装置における外形が大きくなったり、額縁部分が広くなるなどの問題が生じる。
【発明の概要】
【０００５】  本発明は上記のような事情に基づいて完成されたものであって、非表示部を小さく保つことを目的とする。
【０００６】（課題を解決するための手段）  本発明の表示装置は、画像を表示可能な表示部及び前記表示部外の非表示部を有する表示パネルと、前記非表示部に取り付けられ、外部の信号供給源から供給される入力信号を処理して生成した出力信号を前記表示部に出力することで前記表示パネルを駆動するものであって、前記表示パネルの辺部に沿って長手状をなすパネル駆動部と、前記非表示部に設けられ、前記パネル駆動部に接続される複数のパネル側出力端子部と、前記複数のパネル側出力端子部に含まれ、前記パネル駆動部の長辺に沿って並列する形で配される複数のパネル側画像出力端子部と、前記複数のパネル側出力端子部に含まれ、前記パネル駆動部の長辺に沿って並列する形で配される複数のパネル側制御出力端子部と、前記非表示部に設けられ、前記パネル側画像出力端子部から前記パネル駆動部の長辺を横切る形で引き出されて前記表示部に向けて扇状に広がるよう引き回されるとともに、前記出力信号に含まれる画像信号を伝送する複数の画像信号配線と、前記非表示部に設けられ、前記パネル側制御出力端子部から前記パネル駆動部の短辺を横切る形で引き出されて前記表示部に向けて引き回されるとともに、前記出力信号に含まれる制御信号を伝送する複数の制御信号配線と、を備える。
【０００７】  このようにすれば、表示パネルの非表示部に取り付けられたパネル駆動部は、外部の信号供給源からの入力信号を処理して出力信号を生成し、その出力信号を出力する。このパネル駆動部には、非表示部に設けられたパネル側出力端子部が接続されているので、パネル駆動部からの出力信号に含まれる画像信号及び制御信号がパネル側出力端子部を介して画像信号配線及び制御信号配線により伝送されて表示部に供給されることで、表示パネルの駆動がなされる。
【０００８】  複数のパネル側出力端子部には、複数のパネル側画像出力端子部と、複数のパネル側制御出力端子部とが含まれるとともに、それぞれパネル駆動部の長辺に沿って並列する形で配されているので、仮に複数のパネル側画像出力端子部をパネル駆動部の長辺に沿って並列しつつも複数のパネル側制御出力端子部をパネル駆動部の短辺に沿って並列した場合に比べると、パネル側出力端子部の配置領域がパネル駆動部の短辺に沿う方向について大型化するのが避けられている。これにより、非表示部がパネル駆動部の短辺に沿う方向について小さく保たれるので、当該表示装置の外形の小型化や狭額縁化を図る上で好適とされる。
【０００９】  その上で、複数の制御信号配線は、パネル側制御出力端子部からパネル駆動部の短辺を横切る形で引き出されて表示部に向けて引き回されているから、仮に複数の制御信号配線を、パネル側画像出力端子部からパネル駆動部の長辺を横切る形で引き出されて表示部に向けて扇状に広がるよう引き回される画像信号配線に倣う形で引き回した場合に比べると、パネル側出力端子部と表示部との間において制御信号配線を引き回すための領域が不要となるので、扇状に広がる画像信号配線の配置領域をより広く確保することができる。従って、表示部の精細度が高められるのに伴い画像信号配線の本数が増加した場合でも、パネル側出力端子部と表示部との間の距離、すなわち非表示部を小さく保ちつつ画像信号配線を引き回すことができる。もって当該表示装置における外形の小型化や狭額縁化などを図る上でより好適となる。
【００１０】  本発明の実施態様として、次の構成が好ましい。（１）前記複数の制御信号配線には、第１制御信号配線と、少なくとも一部における線幅が前記第１制御信号配線よりも拡幅されてなる第２制御信号配線とが少なくとも含まれている。このように、パネル駆動部の短辺を横切る複数の制御信号配線に、第１制御信号配線と、少なくとも一部における線幅が第１制御信号配線よりも拡幅されてなる第２制御信号配線とが含まれているので、仮に全ての制御信号配線を第２制御信号配線とした場合に比べると、非表示部における制御信号配線の配線領域が小さなものとなる。従って、第２制御信号配線の配線抵抗を低くしつつも、当該表示装置における外形の小型化や狭額縁化などを図る上で一層好適となる。
【００１１】（２）前記複数のパネル側制御出力端子部には、前記第１制御信号配線が接続されるとともに、前記複数のパネル側画像出力端子部のうちの端に位置するパネル側画像出力端子部に対して隣り合う形で配される第１パネル側制御出力端子部と、前記第２制御信号配線が接続されるとともに、前記端に位置するパネル側画像出力端子部に対して間に前記第１パネル側制御出力端子部を挟む形で配される第２パネル側制御出力端子部とが含まれている。このようにすれば、第２制御信号配線は、端に位置するパネル側画像出力端子部に対して間に第１制御信号配線が接続される第１パネル側制御出力端子部を挟む形で配される第２パネル側制御出力端子部からパネル駆動部の短辺を横切る形で引き出されるから、第２制御信号配線の配線長を第１制御信号配線の配線長よりも短くすることが可能となる。これにより、第２制御信号配線の配線抵抗を一層低減することができる。
【００１２】（３）前記第１制御信号配線及び前記第２制御信号配線は、相対的に前記パネル側制御出力端子部の近くに配される第１配線部と、相対的に前記パネル側制御出力端子部から遠くに配され且つその一部が前記第１配線部の一部に対して重畳配置される第２配線部とをそれぞれ少なくとも有しており、前記第１配線部と前記第２配線部との間に介在する形で配されるとともに前記第１配線部と前記第２配線部との重畳部位に開口することで両配線部を接続するコンタクトホールを有する絶縁膜が備えられており、前記絶縁膜は、前記第２制御信号配線を構成する前記第１配線部と前記第２配線部とを接続する前記コンタクトホールの数が、前記第１制御信号配線を構成する前記第１配線部と前記第２配線部とを接続する前記コンタクトホールの数よりも多くなるよう形成されている。このように、第１制御信号配線及び第２制御信号配線が、それぞれ絶縁膜に開口するコンタクトホールを通して互いに接続される第１配線部と第２配線部とを少なくとも有する構成とされているから、非表示部における第１制御信号配線及び第２制御信号配線のレイアウトの自由度を高いものとすることができる。しかも、第２制御信号配線は、第１配線部と第２配線部とを接続するコンタクトホールの数が第１制御信号配線よりも相対的に多くされているから、第１配線部と第２配線部との接続に係る抵抗が低いものとなって配線抵抗の一層の低減に好適である。
【００１３】（４）前記表示部には、多数個のスイッチング素子が行列状に並列配置されているのに対し、前記非表示部には、少なくとも前記制御信号配線のうちの前記表示部側の端部に接続されるとともに前記スイッチング素子への前記制御信号の供給を制御する行制御回路部と、少なくとも前記画像信号配線のうちの前記表示部側の端部に接続されるとともに前記スイッチング素子への前記画像信号の供給を制御する列制御回路部とが設けられている。このようにすれば、表示部において行列状に並列配置された多数個のスイッチング素子は、行制御回路部により少なくとも制御信号配線からの制御信号の供給が制御されるとともに、列制御回路部により少なくとも画像信号配線からの画像信号の供給が制御されることで、適切に駆動されて表示部に所定の画像が表示される。
【００１４】（５）前記第２制御信号配線には、前記制御信号としてクロック信号を伝送するクロック制御信号配線と、前記制御信号として前記行制御回路部または前記列制御回路部を駆動するための電源電圧信号を伝送する電源制御信号配線とが少なくとも含まれている。制御信号配線の中でも、クロック制御信号配線は、制御信号であるクロック信号に係るパルス波形に鈍りが生じるのが嫌われる種類の配線であり、電源制御信号配線は、行制御回路部または列制御回路部を安定的に作動させるために電圧降下の発生が嫌われる種類の配線である。このことから、これらクロック制御信号配線及び電源制御信号配線を少なくとも一部が拡幅された第２制御信号配線とすることで、その配線抵抗を低くすることができる。これにより、スイッチング素子に安定したパルス波形のクロック信号を供給することができるとともに、行制御回路部または列制御回路部を安定的に作動させることができる。
【００１５】（６）前記第１制御信号配線には、途中に蛇行した蛇行部を有するものが含まれており、前記行制御回路部と前記列制御回路部との少なくともいずれか一方には、前記蛇行部を有する前記第１制御信号配線に対して電気的に接続されるＥＳＤ保護回路が内蔵されている。このようにすれば、第１制御信号配線に蛇行部を有するものを含ませることで、その配線抵抗が蛇行部を有さないものに比べて高くなる。そして、蛇行部を有する第１制御信号配線が行制御回路部と列制御回路部との少なくともいずれか一方に内蔵されたＥＳＤ保護回路に対して電気的に接続されているから、ＥＳＤに伴うサージが蛇行部を有する第１制御信号配線に入力された場合でも、サージをＥＳＤ保護回路に逃がすことができ、サージから行制御回路部または列制御回路部を保護することができる。
【００１６】（７）前記スイッチング素子、前記行制御回路部及び前記列制御回路部は、それぞれ多結晶化されたシリコン薄膜を有している。このようにすれば、仮にアモルファスシリコン薄膜を用いた場合に比べると、電子移動度が高いので、高精細化及び低消費電力化を図る上で好適とされる。
【００１７】（８）前記第２制御信号配線は、少なくとも前記パネル側制御出力端子部から引き出されて前記パネル駆動部の前記短辺を横切る部分における線幅が部分的に拡幅されてなる。第２制御信号配線のうち、パネル側制御出力端子部から引き出されてパネル駆動部の短辺を横切る部分は、非表示部において、パネル側出力端子部と表示部との間の領域に比べると、スペース的に比較的に余裕のある領域に配されているので、当該部分を部分的に拡幅することで、非表示部を小型に保ちつつ第２制御信号配線の配線抵抗の低減を好適に図ることができる。また、仮に全ての制御信号配線を、パネル駆動部の短辺を横切る部分における線幅が部分的に拡幅された第２制御信号配線とした場合に比べると、パネル駆動部の配置領域がその短辺に沿う方向について小型化される。
【００１８】（９）前記非表示部には、前記制御信号配線に接続されることで前記制御信号配線の導通状態を検査可能な検査配線が設けられており、前記検査配線には、前記第１制御信号配線に接続される第１検査配線と、前記第２制御信号配線のうち線幅が拡幅された部分よりも前記表示部寄りの部分に接続される第２検査配線とが含まれている。このようにすれば、第１検査配線及び第２検査配線により第１制御信号配線及び第２制御信号配線の導通状態を検査することができる。このうち、第２制御信号配線において、線幅が拡幅された部分よりも表示部寄りの、線幅が相対的に細い部分は、線幅が拡幅された部分に比べて断線が生じ易いものの、そこに第２検査配線を接続することで、当該線幅が細い部分に断線が生じていた場合に検査によって断線を検出する確実性が高いものとなる。第２制御信号配線のうち線幅が拡幅された部分は、本来的に断線が生じ難いことから、第２検査配線による検査が行われなくても、第２制御信号配線に断線が生じた状態のまま当該表示装置が出荷されるなどといった事態が生じ難くなる。
【００１９】（１０）前記制御信号配線は、前記パネル側制御出力端子部からの引き出し方向が、前記画像信号配線における前記パネル側画像出力端子部からの引き出し方向とは反対とされている。このようにすれば、制御信号配線がパネル側制御出力端子部と表示部との間に存在することがなくなるから、パネル側出力端子部と表示部との間において扇状に広がる画像信号配線の配線領域をさらに広く確保することができる。これにより、当該表示装置が高精細化されて画像信号配線の本数が多くなった場合により有用とされる。
【００２０】（１１）前記複数のパネル側制御出力端子部は、前記パネル駆動部の長辺における端位置に配されている。このようにすれば、パネル側制御出力端子部からパネル駆動部の短辺を横切る形で引き出される制御信号配線においてパネル駆動部と重畳する部分の長さを極力短くすることができるから、制御信号配線とパネル駆動部との機械的な干渉が生じ難くなるとともに、パネル駆動部が有する回路にノイズなどの影響が生じ難くなる。
【００２１】（１２）前記非表示部には、前記パネル駆動部に接続されるパネル側入力端子部が、前記パネル側出力端子部に対して前記パネル駆動部の前記短辺に沿う方向について並んで配設されており、前記制御信号配線は、前記パネル側出力端子部と前記パネル側入力端子部との間を通る形で配されている。このようにすれば、外部の信号供給源からの入力信号は、パネル側出力端子部を介してパネル駆動部に供給される。パネル駆動部の短辺に沿う方向について並んで配設されたパネル側出力端子部とパネル側入力端子部との間に制御信号配線を通すことで、パネル駆動部の短辺を横切る形で制御信号配線を引き回すことができる。
【００２２】（１３）前記表示パネルは、一対の基板間に液晶を封入してなる液晶パネルとされる。このような表示装置は液晶表示装置として、種々の用途、例えば携帯型情報端末、携帯電話、ノートパソコン、携帯型ゲーム機などの各種電子機器に適用できる。
【００２３】（１４）前記液晶パネルに対して対向状をなし且つ表示側とは反対側に配されるとともに前記液晶パネルに対して光を供給可能な照明装置を備える。このようにすれば、照明装置から供給される光を利用して、液晶パネルの表示部に画像を表示させることができる。
【００２４】（発明の効果）  本発明によれば、非表示部を小さく保つことができる。
【図面の簡単な説明】
【００２５】
【図１】本発明の実施形態１に係るドライバを実装した液晶パネルとフレキシブル基板と制御回路基板との接続構成を示す概略平面図
【図２】液晶表示装置の長辺方向に沿った断面構成を示す概略断面図
【図３】液晶パネルの断面構成を示す概略断面図
【図４】液晶パネルを構成するアレイ基板のうち、ドライバ及びフレキシブル基板が実装された端部における配線構成を示す平面図
【図５】図４のv-v線断面図
【図６】制御信号配線及びパネル側出力端子部の配置を示す平面図
【図７】制御信号配線における第１配線部と第２配線部とを接続するコンタクトホール付近を示す平面図
【図８】図７のviii-viii線断面図
【図９】図７のix-ix線断面図
【図１０】本発明の実施形態２に係る液晶パネルを構成するアレイ基板のうち、ドライバ及びフレキシブル基板が実装された端部における配線構成を示す平面図
【図１１】制御信号配線、パネル側制御出力端子部、検査配線、及び検査端子部の配置を示す平面図
【図１２】本発明の実施形態３に係る液晶パネルを構成するアレイ基板のうち、ドライバ及びフレキシブル基板が実装された端部における配線構成を示す平面図
【図１３】本発明の実施形態４に係る液晶パネルを構成するアレイ基板のうち、ドライバ及びフレキシブル基板が実装された端部における配線構成を示す平面図
【図１４】本発明の実施形態５に係る液晶パネルを構成するアレイ基板のうち、ドライバ及びフレキシブル基板が実装された端部における配線構成を示す平面図
【図１５】本発明の実施形態６に係る液晶パネルを構成するアレイ基板のうち、ドライバ及びフレキシブル基板が実装された端部における配線構成を示す平面図
【図１６】本発明の実施形態７に係る液晶パネルを構成するアレイ基板のうち、ドライバ及びフレキシブル基板が実装された端部における配線構成を示す平面図
【図１７】本発明の実施形態８に係る液晶パネルを構成するアレイ基板のうち、ドライバ及びフレキシブル基板が実装された端部における配線構成を示す平面図
【図１８】本発明の実施形態９に係る液晶パネルを構成するアレイ基板のうち、ドライバ及びフレキシブル基板が実装された端部における配線構成を示す平面図
【図１９】本発明の実施形態１０に係る液晶パネルを構成するアレイ基板のうち、ドライバ及びフレキシブル基板が実装された端部における配線構成を示す平面図
【発明を実施するための形態】
【００２６】  ＜実施形態１＞  本発明の実施形態１を図１から図９によって説明する。本実施形態では、液晶表示装置１０について例示する。なお、各図面の一部にはＸ軸、Ｙ軸及びＺ軸を示しており、各軸方向が各図面で示した方向となるように描かれている。また、上下方向については、図２などを基準とし、且つ同図上側を表側とするとともに同図下側を裏側とする。
【００２７】  液晶表示装置１０は、図１及び図２に示すように、画像を表示可能な表示部ＡＡ及び表示部ＡＡ外の非表示部ＮＡＡを有する液晶パネル（表示パネル、表示素子）１１と、液晶パネル１１を駆動するドライバ（パネル駆動部）２１と、ドライバ２１に対して各種入力信号を外部から供給する制御回路基板（外部の信号供給源）１２と、液晶パネル１１と外部の制御回路基板１２とを電気的に接続するフレキシブル基板（外部接続部品）１３と、液晶パネル１１に光を供給する外部光源であるバックライト装置（照明装置）１４とを備える。また、液晶表示装置１０は、相互に組み付けた液晶パネル１１及びバックライト装置１４を収容・保持するための表裏一対の外装部材１５，１６をも備えており、このうち表側の外装部材１５には、液晶パネル１１の表示部ＡＡに表示された画像を外部から視認させるための開口部１５ａが形成されている。本実施形態に係る液晶表示装置１０は、携帯型情報端末（電子ブックやＰＤＡなどを含む）、携帯電話（スマートフォンなどを含む）、ノートパソコン（タブレット型ノートパソコンなどを含む）、デジタルフォトフレーム、携帯型ゲーム機、電子インクペーパなどの各種電子機器（図示せず）に用いられるものである。このため、液晶表示装置１０を構成する液晶パネル１１の画面サイズは、数インチ〜１０数インチ程度とされ、一般的には小型または中小型に分類される大きさとされている。
【００２８】  先にバックライト装置１４について簡単に説明する。バックライト装置１４は、図２に示すように、表側（液晶パネル１１側）に向けて開口した略箱形をなすシャーシ１４ａと、シャーシ１４ａ内に配された図示しない光源（例えば冷陰極管、ＬＥＤ、有機ＥＬなど）と、シャーシ１４ａの開口部を覆う形で配される図示しない光学部材とを備える。光学部材は、光源から発せられる光を面状に変換するなどの機能を有するものである。
【００２９】  続いて、液晶パネル１１について説明する。液晶パネル１１は、図１に示すように、全体として縦長な方形状（矩形状）をなしており、その長辺方向における一方の端部側（図１に示す上側）に片寄った位置に表示部（アクティブエリア）ＡＡが配されるとともに、長辺方向における他方の端部側（図１に示す下側）に片寄った位置にドライバ２１及びフレキシブル基板１３がそれぞれ取り付けられている。この液晶パネル１１において表示部ＡＡ外の領域が、画像が表示されない非表示部（ノンアクティブエリア）ＮＡＡとされ、この非表示部ＮＡＡは、表示部ＡＡを取り囲む略枠状の領域（後述するＣＦ基板１１ａにおける額縁部分）と、長辺方向の他方の端部側に確保された領域（後述するアレイ基板１１ｂのうちＣＦ基板１１ａとは重畳せずに露出する部分）とからなり、このうちの長辺方向の他方の端部側に確保された領域にドライバ２１及びフレキシブル基板１３の実装領域（取付領域）が含まれている。液晶パネル１１における短辺方向が各図面のＸ軸方向と一致し、長辺方向が各図面のＹ軸方向と一致している。なお、図１では、ＣＦ基板１１ａよりも一回り小さな枠状の一点鎖線が表示部ＡＡの外形を表しており、当該実線よりも外側の領域が非表示部ＮＡＡとなっている。
【００３０】  液晶パネル１１は、図３に示すように、一対の透明な（透光性を有する）ガラス製の基板１１ａ，１１ｂと、両基板１１ａ，１１ｂ間に介在し、電界印加に伴って光学特性が変化する物質である液晶分子を含む液晶層１１ｃとを備え、両基板１１ａ，１１ｂが液晶層１１ｃの厚さ分のギャップを維持した状態で図示しないシール剤によって貼り合わせられている。両基板１１ａ，１１ｂのうち表側（正面側）がＣＦ基板１１ａとされ、裏側（背面側）がアレイ基板１１ｂとされる。このうち、ＣＦ基板１１ａは、図１及び図２に示すように、短辺寸法がアレイ基板１１ｂと概ね同等であるものの、長辺寸法がアレイ基板１１ｂよりも小さなものとされるとともに、アレイ基板１１ｂに対して長辺方向についての一方（図１に示す上側）の端部を揃えた状態で貼り合わせられている。従って、アレイ基板１１ｂのうち長辺方向についての他方（図１に示す下側）の端部は、所定範囲にわたってＣＦ基板１１ａが重なり合うことがなく、表裏両板面が外部に露出した状態とされており、ここに後述するドライバ２１及びフレキシブル基板１３の実装領域（各端子部２２〜２４の配置領域）が確保されている。なお、両基板１１ａ，１１ｂの内面側には、液晶層１１ｃに含まれる液晶分子を配向させるための配向膜１１ｄ，１１ｅがそれぞれ形成されている。また、両基板１１ａ，１１ｂの外面側には、それぞれ偏光板１１ｆ，１１ｇが貼り付けられている。
【００３１】  続いて、アレイ基板１１ｂ及びＣＦ基板１１ａにおける表示部ＡＡ内に存在する構成について順次に詳しく説明する。アレイ基板１１ｂの内面側（液晶層１１ｃ側、ＣＦ基板１１ａとの対向面側）には、図３及び図４に示すように、スイッチング素子であるＴＦＴ（Thin Film Transistor）１７及び画素電極１８が多数個ずつマトリクス状に並んで設けられるとともに、これらＴＦＴ１７及び画素電極１８の周りには、格子状をなすゲート配線（行制御線、走査線）１９及びソース配線（列制御線、データ線）２０が取り囲むようにして配設されている。言い換えると、格子状をなすゲート配線１９及びソース配線２０の交差部に、ＴＦＴ１７及び画素電極１８が行列状に並列配置されている。ゲート配線１９及びソース配線２０は、それぞれ金属材料（導電材料）からなり、相互の交差部位間には絶縁膜ＩＦ（図８及び図９を参照）が介在する形で配されている。ゲート配線１９とソース配線２０とがそれぞれＴＦＴ１７のゲート電極とソース電極とに接続され、画素電極１８がＴＦＴ１７のドレイン電極に接続されている。ゲート配線１９及びゲート電極は、相対的に下層側（ガラス基板側）に配される第１金属膜（第１導電膜）からなるのに対し、ソース配線２０、ソース電極、及びドレイン電極は、第１金属膜に対して上記した絶縁膜ＩＦを介して相対的に上層側に配される第２金属膜（第２導電膜）からなるものとされる。このＴＦＴ１７は、ソース電極とドレイン電極とを架け渡して両電極間での電子の移動を可能とする半導体膜が、多結晶化されたシリコン薄膜の一種であるＣＧシリコン（Continuous Grain Silicon）薄膜からなるものとされている。ＣＧシリコン薄膜は、例えばアモルファスシリコン薄膜に金属材料を添加し、５５０℃以下程度の低温で短時間の熱処理を行うことで形成されており、それによりシリコン結晶の結晶粒界における原子配列に連続性を有している。ＣＧシリコン薄膜は、アモルファスシリコン薄膜などに比べると、電子移動度が例えば２００〜３００ｃｍ２／Ｖｓ程度と高くなっているので、ＴＦＴ１７を容易に小型化して画素電極１８の透過光量を極大化することができ、もって高精細化及び低消費電力化を図る上で好適とされる。このような半導体膜を有するＴＦＴ１７は、半導体膜が最下層に配され、その上層側に絶縁膜を介してゲート電極が積層されてなる、スタガ型（コプレーナ型）とされている。また、画素電極１８は、平面に視て縦長の方形状（矩形状）をなすとともに、ＩＴＯ（Indium Tin Oxide）或いはＺｎＯ（Zinc Oxide）といった透明電極材料からなる。なお、アレイ基板１１ｂには、ゲート配線１９に並行するとともに画素電極１８を横切りつつ絶縁膜を介して重畳する容量配線（図示せず）を設けることも可能である。
【００３２】  一方、ＣＦ基板１１ａには、図３に示すように、Ｒ（赤色），Ｇ（緑色），Ｂ（青色）等の各着色部が、アレイ基板１１ｂ側の各画素電極１８と平面に視て重畳するよう多数個マトリクス状に並列して配置されたカラーフィルタ１１ｈが設けられている。カラーフィルタ１１ｈをなす各着色部間には、混色を防ぐための略格子状の遮光層（ブラックマトリクス）１１ｉが形成されている。遮光層１１ｉは、上記したゲート配線１９及びソース配線２０と平面に視て重畳する配置とされる。カラーフィルタ１１ｈ及び遮光層１１ｉの表面には、アレイ基板１１ｂ側の画素電極１８と対向するベタ状の対向電極１１ｊが設けられている。なお、当該液晶パネル１１においては、Ｒ（赤色），Ｇ（緑色），Ｂ（青色）の３色の着色部及びそれらと対向する３つの画素電極１８の組によって表示単位である１つの表示画素が構成されている。表示画素は、Ｒの着色部を有する赤色画素と、Ｇの着色部を有する緑色画素と、Ｂの着色部を有する青色画素とからなる。これら各色の画素は、液晶パネル１１の板面において行方向（Ｘ軸方向）に沿って繰り返し並べて配されることで、画素群を構成しており、この画素群が列方向（Ｙ軸方向）に沿って多数並んで配されている。
【００３３】  制御回路基板１２は、図１及び図２に示すように、バックライト装置１４におけるシャーシ１４ａの裏面（液晶パネル１１側とは反対側の外面）にネジなどにより取り付けられている。この制御回路基板１２は、紙フェノールないしはガラスエポキシ樹脂製の基板上に、ドライバ２１に各種入力信号を供給するための電子部品が実装されるとともに、図示しない所定のパターンの配線（導電路）が配索形成されている。この制御回路基板１２には、フレキシブル基板１３の一方の端部（一端側）が図示しない異方性導電膜（ＡＣＦ：Anisotropic Conductive Film）を介して電気的に且つ機械的に接続されている。
【００３４】  フレキシブル基板（ＦＰＣ基板）１３は、図２に示すように、絶縁性及び可撓性を有する合成樹脂材料（例えばポリイミド系樹脂等）からなる基材を備え、その基材上に多数本の配線パターン（図示せず）を有しており、長さ方向についての一方の端部が既述した通りシャーシ１４ａの裏面側に配された制御回路基板１２に接続されるのに対し、他方の端部（他端側）が液晶パネル１１におけるアレイ基板１１ｂに接続されているため、液晶表示装置１０内では断面形状が略Ｕ型となるよう折り返し状に屈曲されている。フレキシブル基板１３における長さ方向についての両端部においては、配線パターンが外部に露出して端子部（図示せず）を構成しており、これらの端子部がそれぞれ制御回路基板１２及びアレイ基板１１ｂに対して電気的に接続されている。これにより、制御回路基板１２側から供給される入力信号を液晶パネル１１側に伝送することが可能とされている。
【００３５】  ドライバ２１は、図１に示すように、内部に駆動回路を有するＬＳＩチップからなるものとされ、信号供給源である制御回路基板１２から供給される信号に基づいて作動することで、信号供給源である制御回路基板１２から供給される入力信号を処理して出力信号を生成し、その出力信号を液晶パネル１１の表示部ＡＡへと出力するものとされる。このドライバ２１は、平面に視て横長の方形状をなす（液晶パネル１１の短辺に沿って長手状をなす）とともに、液晶パネル１１のアレイ基板１１ｂにおける非表示部ＮＡＡに対して直接実装され、つまりＣＯＧ（Chip On Glass）実装されている。なお、ドライバ２１の長辺方向がＸ軸方向（液晶パネル１１の短辺方向）と一致し、同短辺方向がＹ軸方向（液晶パネル１１の長辺方向）と一致している。
【００３６】  次に、アレイ基板１１ｂの非表示部ＮＡＡに対する、フレキシブル基板１３及びドライバ２１の接続構造について説明する。アレイ基板１１ｂの非表示部ＮＡＡのうちＣＦ基板１１ａとは重畳しない非重畳部分には、図１に示すように、フレキシブル基板１３の端部及びドライバ２１がそれぞれ取り付けられており、フレキシブル基板１３の端部がアレイ基板１１ｂにおける短辺方向（Ｘ軸方向）に沿った端部に配されるのに対して、ドライバ２１がアレイ基板１１ｂにおいてフレキシブル基板１３よりも表示部ＡＡ側に位置して配されている。言い換えると、ドライバ２１は、非表示部ＮＡＡにおいて、表示部ＡＡとフレキシブル基板１３との間に挟まれた位置に配されているのに対し、フレキシブル基板１３は、その端部（液晶パネル１１に対する取付部位）がドライバ２１に対して表示部ＡＡ側とは反対側に配されている。アレイ基板１１ｂの非表示部ＮＡＡにおいてフレキシブル基板１３とドライバ２１との間と、ドライバ２１と表示部ＡＡとの間とには、アレイ基板１１ｂの長辺方向（ドライバ２１の短辺方向、Ｙ軸方向）について所定の間隔がそれぞれ空けられている。フレキシブル基板１３は、その端部がアレイ基板１１ｂの短辺側の端部における中央部分に取り付けられており、その取り付けられた端部がアレイ基板１１ｂの短辺側の端部（短辺方向、Ｘ軸方向）に沿って延在している。フレキシブル基板１３におけるアレイ基板１１ｂに対して取り付けられた端部の寸法は、アレイ基板１１ｂの短辺寸法よりも小さくなっている。一方、ドライバ２１は、その長辺方向をアレイ基板１１ｂの短辺方向（Ｘ軸方向）と一致させた姿勢で非表示部ＮＡＡにおけるアレイ基板１１ｂの短辺方向についての中央部分に実装されている。ドライバ２１は、アレイ基板１１ｂの短辺方向についてフレキシブル基板１３とほぼ同心となる配置とされている。また、ドライバ２１の長辺寸法は、フレキシブル基板１３におけるアレイ基板１１ｂに取り付けられた端部の長さ寸法よりも小さなものとされる。
【００３７】  上記したアレイ基板１１ｂにおけるフレキシブル基板１３の実装領域（外部接続部材実装領域、外部接続部材配置領域）には、図４に示すように、フレキシブル基板１３側から入力信号の供給を受ける外部接続端子部２２が形成されている。その一方、アレイ基板１１ｂにおけるドライバ２１の実装領域（パネル駆動部実装領域、パネル駆動部配置領域）には、ドライバ２１への入力信号の供給を図るためのパネル側入力端子部２３と、ドライバ２１からの出力信号の供給を受けるパネル側出力端子部２４とが設けられている。また、外部接続端子部２２とパネル側入力端子部２３とは、非表示部ＮＡＡのうち、フレキシブル基板１３の実装領域とドライバ２１の実装領域との間を横切る形で配索形成された中継配線（図示せず）によって電気的に接続されている。これに対して、ドライバ２１には、パネル側入力端子部２３に電気的に接続されるドライバ側入力端子部（パネル駆動部側入力端子部）２５と、パネル側出力端子部２４に電気的に接続されるドライバ側出力端子部（パネル駆動部側出力端子部）２６とが設けられている。なお、図４では、フレキシブル基板１３及びドライバ２１を二点鎖線により図示している。また、図４では、後述する列制御回路部２７及び行制御回路部２８の内側に配された一点鎖線が表示部ＡＡの外形を表しており、当該一点鎖線よりも外側の領域が非表示部ＮＡＡとなっている。
【００３８】  パネル側入力端子部２３及びパネル側出力端子部２４は、図５に示すように、それぞれ例えばゲート配線１９と同じ第１金属膜からなり、その表面が画素電極１８と同じＩＴＯ或いはＺｎＯといった透明電極材料によって覆われてなる。従って、パネル側入力端子部２３及びパネル側出力端子部２４は、液晶パネル１１（アレイ基板１１ｂ）の製造工程においてゲート配線１９や画素電極１８をパターニングする際に既知のフォトリソグラフィー法によりこれらと同時にアレイ基板１１ｂ上にパターニングされている。パネル側入力端子部２３及びパネル側出力端子部２４上には、異方性導電膜（ＡＣＦ：Anisotropic Conductive Film）２９が塗布されており、この異方性導電膜２９に含まれる導電性粒子２９ａを介してドライバ２１のドライバ側入力端子部２５がパネル側入力端子部２３に対して、ドライバ側出力端子部２６がパネル側出力端子部２４に対してそれぞれ電気的に接続されている。なお、図示は省略するが、外部接続端子部２２についても上記したパネル側入力端子部２３及びパネル側出力端子部２４と同様に第１金属膜及び透明電極膜からなる断面構造を有しており、異方性導電膜を介してフレキシブル基板１３の端子部に対して電気的に接続されている。
【００３９】  パネル側入力端子部２３及びパネル側出力端子部２４は、図４に示すように、アレイ基板１１ｂの非表示部ＮＡＡのうちドライバ２１と平面に視て重畳する位置、つまりドライバ２１の実装領域に配されている。パネル側入力端子部２３とパネル側出力端子部２４とは、間に所定の間隔を空けつつＹ軸方向（ドライバ２１と表示部ＡＡとの並び方向、ドライバ２１の短辺方向）に沿って並んで配されている。このうち、パネル側入力端子部２３は、アレイ基板１１ｂにおけるドライバ２１の実装領域のうち、フレキシブル基板１３側（表示部ＡＡ側とは反対側）に配されているのに対し、パネル側出力端子部２４は、表示部ＡＡ側（フレキシブル基板１３側とは反対側）に配されている。パネル側入力端子部２３及びパネル側出力端子部２４は、Ｘ軸方向、つまりドライバ２１の長辺方向（ドライバ２１と表示部ＡＡとの並び方向と直交する方向）に沿って多数個ずつがそれぞれ所定の間隔を空けて直線的に並列配置されている。
【００４０】  そして、パネル側出力端子部２４には、図４に示すように、ドライバ２１から出力される出力信号に含まれる画像信号（データ信号、ビデオ信号）の供給を受ける複数のパネル側画像出力端子部２４Ａと、同出力信号に含まれる制御信号の供給を受ける複数のパネル側制御出力端子部２４Ｂとが含まれている。パネル側画像出力端子部２４Ａは、パネル側出力端子部２４群のうちＸ軸方向について図４に示す右端位置（一方の端位置）から左側に向けて多数個がＸ軸方向に沿って間欠的に並んで配されており、パネル側出力端子部２４群の大部分（大多数）を占めている。これに対し、パネル側制御出力端子部２４Ｂは、パネル側出力端子部２４群のうちＸ軸方向について図４に示す左端位置（他方の端位置）から右側に向けて５つがＸ軸方向に沿って間欠的に並んで配されており、パネル側出力端子部２４群のごく一部（小数）を占めている。つまり、５つのパネル側制御出力端子部２４Ｂは、ドライバ２１の長辺における他方の端位置（行制御回路部２８側の端位置）に片寄って配置されている。パネル側画像出力端子部２４Ａ及びパネル側制御出力端子部２４Ｂは、Ｙ軸方向についてほぼ同じ位置に配されるとともに、Ｘ軸方向に沿って一直線状に並列配置されている。従って、仮にパネル側画像出力端子部をＸ軸方向に沿って並列しつつもパネル側制御出力端子部をＹ軸方向に沿って並列した場合に比べると、パネル側出力端子部２４の配置領域がＹ軸方向（ドライバ２１の短辺に沿う方向）について大型化するのが避けられている。これにより、非表示部ＮＡＡがＹ軸方向について小さく保たれるので、液晶表示装置１０（液晶パネル１１）の外形の小型化や狭額縁化を図る上で好適とされる。なお、以下では、パネル側出力端子部２４を区別する場合には、パネル側画像出力端子部の符号に添え字「Ａ」を、パネル側制御出力端子部の符号に添え字「Ｂ」をそれぞれ付すものとし、区別しない場合には添え字を付さないものとする。
【００４１】  ドライバ側入力端子部２５及びドライバ側出力端子部２６は、図５に示すように、金などの導電性に優れた金属材料からなるとともにドライバ２１の底面（アレイ基板１１ｂとの対向面）から突出するバンプ状をなしている。ドライバ側入力端子部２５及びドライバ側出力端子部２６は、ドライバ２１内に有される処理回路にそれぞれ接続されており、ドライバ側入力端子部２５から入力された入力信号を処理回路にて処理した後、ドライバ側出力端子部２６へと出力することが可能とされる。ドライバ側入力端子部２５及びドライバ側出力端子部２６は、パネル側入力端子部２３及びパネル側出力端子部２４と同様にＸ軸方向、つまりドライバ２１の長辺方向に沿って多数個ずつがそれぞれ所定の間隔を空けて直線的に並列配置されている。
【００４２】  一方、アレイ基板１１ｂにおける非表示部ＮＡＡのうち、表示部ＡＡにおける短辺部と長辺部とにそれぞれ隣り合う位置には、図４に示すように、表示部ＡＡのゲート配線１９及びソース配線２０に接続されることで、ドライバ２１からの出力信号をＴＦＴ１７に供給するための制御を行う列制御回路部２７及び行制御回路部２８が設けられている。列制御回路部２７及び行制御回路部２８は、ＴＦＴ１７と同じＣＧシリコン薄膜をベースとしてアレイ基板１１ｂ上にモノリシックに形成されることで、ＴＦＴ１７への出力信号の供給を制御するための制御回路を有している。これら列制御回路部２７及び行制御回路部２８は、液晶パネル１１（アレイ基板１１ｂ）の製造工程においてゲート配線１９、ソース配線２０、各種絶縁膜、ＴＦＴ１７を構成するゲート電極、ソース電極、ドレイン電極、半導体膜などをパターニングする際に既知のフォトリソグラフィー法により同時にアレイ基板１１ｂ上にパターニングされている。
【００４３】  このうち、列制御回路部２７は、図４に示すように、表示部ＡＡにおける図４に示す下側の短辺部に隣り合う位置、言い換えるとＹ軸方向について表示部ＡＡとドライバ２１との間となる位置に配されており、Ｘ軸方向に沿って延在する横長の方形状の範囲に形成されている。列制御回路部２７は、その長辺寸法が表示部ＡＡにおける短辺寸法と概ね同じ程度の大きさとされている。この列制御回路部２７は、表示部ＡＡに配されたソース配線２０に接続されるとともに、ドライバ２１からの出力信号に含まれる画像信号を、各ソース配線２０に振り分けるスイッチ回路（ＲＧＢスイッチ回路）を有している。具体的には、ソース配線２０は、アレイ基板１１ｂの表示部ＡＡにおいてＸ軸方向に沿って多数本が並列配置されるとともに、Ｒ（赤色），Ｇ（緑色），Ｂ（青色）の各色の画素をなす各ＴＦＴ１７にそれぞれ接続されているのに対して、列制御回路部２７は、スイッチ回路によってドライバ２１からの画像信号をＲ，Ｇ，Ｂの各ソース配線２０に振り分けて供給している。また、列制御回路部２７には、レベルシフタ回路やＥＳＤ（Electro-Static Discharge）保護回路などの付属回路が備えられている。
【００４４】  これに対し、行制御回路部２８は、図４に示すように、表示部ＡＡにおける図４に示す左側の長辺部に隣り合う位置に配されており、Ｙ軸方向に沿って延在する縦長の方形状の範囲に形成されている。行制御回路部２８は、その長辺寸法が表示部ＡＡにおける長辺寸法と概ね同じ程度の大きさとされている。行制御回路部２８は、表示部ＡＡに配されたゲート配線１９に接続されるとともに、ドライバ２１からの出力信号に含まれる制御信号を、各ゲート配線１９に所定のタイミングで供給して各ゲート配線１９を順次に走査する走査回路を有している。具体的には、ゲート配線１９は、アレイ基板１１ｂの表示部ＡＡにおいてＹ軸方向に沿って多数本が並列配置されているのに対して、行制御回路部２８は、走査回路によってドライバ２１からの制御信号（走査信号）を、表示部ＡＡにおいて図４（図１）に示す上端位置のゲート配線１９から下端位置のゲート配線１９に至るまで順次に供給することで、ゲート配線１９の走査を行っている。また、行制御回路部２８には、レベルシフタ回路やバッファ回路やＥＳＤ保護回路などの付属回路が備えられている。
【００４５】  そして、アレイ基板１１ｂにおける非表示部ＮＡＡには、図４に示すように、上記した列制御回路部２７とドライバ２１に接続されたパネル側画像出力端子部２４Ａとを接続して画像信号を伝送可能な画像信号配線３０が設けられるとともに、列制御回路部２７または行制御回路部２８とドライバ２１に接続されたパネル側制御出力端子部２４Ｂとを接続して制御信号を伝送可能な制御信号配線３１が設けられている。これら画像信号配線３０及び制御信号配線３１は、詳しくは後述するが、それぞれゲート配線１９をなす第１金属膜と、ソース配線２０をなす第２金属膜とからなり、液晶パネル１１（アレイ基板１１ｂ）の製造工程においてゲート配線１９及びソース配線２０をパターニングする際に既知のフォトリソグラフィー法によりこれらと同時にアレイ基板１１ｂ上にパターニングされている。
【００４６】  画像信号配線３０は、図４に示すように、一方（表示部ＡＡ側）の端部が列制御回路部２７におけるＸ軸方向に沿う長辺部に、他方（表示部ＡＡ側とは反対側）の端部がパネル側画像出力端子部２４Ａにそれぞれ接続されており、アレイ基板１１ｂの非表示部ＮＡＡにおいて、列制御回路部２７とパネル側画像出力端子部２４Ａ群との間に有される領域を横切る形で配索されている。画像信号配線３０は、Ｘ軸方向に沿って並列配置された各パネル側画像出力端子部２４Ａに対して個別に接続されるとともに、Ｘ軸方向に沿って多数本が並列する形で配されている。この画像信号配線３０の接続対象である列制御回路部２７とパネル側画像出力端子部２４Ａ群とにおけるＸ軸方向についての形成範囲を比べると、列制御回路部２７の方がパネル側画像出力端子部２４Ａ群よりも大きなものとされる。これは、主に列制御回路部２７に接続されたソース配線２０の本数が、画像信号配線３０の本数よりも多くて３倍程度とされることに因る。従って、画像信号配線３０の両端部のうち、パネル側画像出力端子部２４Ａ側の端部は、Ｘ軸方向についてアレイ基板１１ｂの中央側に配されるのに対して、列制御回路部２７側の端部は、Ｘ軸方向についてアレイ基板１１ｂの端側に配されており、それによりパネル側画像出力端子部２４Ａから引き出された画像信号配線３０は、パネル側画像出力端子部２４Ａ側から列制御回路部２７側に引き回される過程で扇状に広げられている。詳しくは、画像信号配線３０は、パネル側画像出力端子部２４ＡからＹ軸方向、つまりドライバ２１の短辺方向に沿って列制御回路部２７側（表示部ＡＡ側）に引き出されてから、Ｘ軸方向及びＹ軸方向の双方に対して傾斜するよう屈曲されてＸ軸方向（ドライバ２１の長辺方向）について外向きに広がりつつ列制御回路部２７の長辺部へと引き回されている。つまり、画像信号配線３０は、パネル側画像出力端子部２４Ａからドライバ２１の長辺２１Ｌを横切る形で引き出されてから列制御回路部２７（表示部ＡＡ）に向けて扇状に広がるよう途中で屈曲されつつ引き回されている、と言える。言い換えると、画像信号配線３０は、Ｙ軸方向についてパネル側画像出力端子部２４Ａから列制御回路部２７（表示部ＡＡ）に近づくに連れてＸ軸方向についてアレイ基板１１ｂの端部に近づく（中央部から遠ざかる）よう途中で屈曲されつつ引き回されている。多数本の画像信号配線３０のうち、図４に示す左側半分の画像信号配線３０は、反時計回り方向に傾斜するのに対し、同図右側半分の画像信号配線３０は、その反対方向、つまり時計回り方向に傾斜している。
【００４７】  制御信号配線３１には、図４に示すように、一方（表示部ＡＡ側）の端部が列制御回路部２７のうち行制御回路部２８側のＹ軸方向に沿う短辺部に、他方（表示部ＡＡ側とは反対側）の端部がパネル側制御出力端子部２４Ｂにそれぞれ接続されたものが１本あり、一方の端部が行制御回路部２８のうち列制御回路部２７側のＸ軸方向に沿う短辺部に、他方の端部がパネル側制御出力端子部２４Ｂにそれぞれ接続されたものが４本ある。一方の端部が列制御回路部２７に接続された１本の制御信号配線３１は、制御信号として列制御回路部２７を駆動するための駆動電圧信号などを伝送する。一方の端部が行制御回路部２８に接続された４本の制御信号配線３１は、制御信号として走査信号、クロック信号、電源電圧信号、イニシャル信号、スタートパルス、スキャン方向の切り替え信号、行制御回路部２８を駆動するための駆動電圧信号などを伝送する。
【００４８】  そして、これら全５本の制御信号配線３１は、図４に示すように、いずれもパネル側制御出力端子部２４Ｂからドライバ２１の短辺２１Ｓを横切る形で引き出されてから表示部ＡＡに向けて引き回されている。詳しくは、制御信号配線３１は、パネル側制御出力端子部２４ＢからＹ軸方向、つまりドライバ２１の短辺方向に沿って列制御回路部２７側（表示部ＡＡ側）とは反対側に引き出されてから、パネル側入力端子部２３に至る手前の位置でほぼ直角に屈曲されてＸ軸方向に沿って延在することで、ドライバ２１の短辺２１Ｓを横切ってドライバ２１の実装領域外に引き出されており、その後複数回屈曲されつつ列制御回路部２７または行制御回路部２８に到達するよう引き回されている。この制御信号配線３１におけるパネル側制御出力端子部２４Ｂからの引き出し方向は、画像信号配線３０におけるパネル側画像出力端子部２４Ａからの引き出し方向とはほぼ１８０°反対の方向とされている。ここで、制御信号配線３１は、ドライバ２１の実装領域内において、パネル側制御出力端子部２４Ｂとパネル側入力端子部２３との間を通ってドライバ２１の短辺２１Ｓを横切る形で引き出されている。つまり、制御信号配線３１は、上記した画像信号配線３０とは違って、アレイ基板１１ｂの非表示部ＮＡＡにおけるドライバ２１と列制御回路部２７（表示部ＡＡ）との間に有される領域には配されていない。言い換えると、アレイ基板１１ｂの非表示部ＮＡＡにおけるドライバ２１と列制御回路部２７（表示部ＡＡ）との間に有される領域に、制御信号配線３１を引き回すための領域を確保する必要がないものとされている。従って、仮に制御信号配線を画像信号配線３０と同じように扇状に広がる形で配索した場合に比べると、アレイ基板１１ｂの非表示部ＮＡＡにおけるドライバ２１と列制御回路部２７（表示部ＡＡ）との間に有される領域において画像信号配線３０を引き回す領域をより広く確保することができる。これにより、表示部ＡＡがより高精細化されるのに伴って画像信号配線３０の本数が増加した場合でも、ドライバ２１と列制御回路部２７（表示部ＡＡ）との間の距離、つまり非表示部ＮＡＡを小さく保ちつつ画像信号配線３０を引き回すことができる。もって、液晶表示装置１０（液晶パネル１１）における外形の小型化や狭額縁化などを図る上で好適となる。
【００４９】  その上、全５本の制御信号配線３１には、図４に示すように、第１制御信号配線３１Ａと、一部における線幅が第１制御信号配線３１Ａに比べて相対的に広い第２制御信号配線３１Ｂとが含まれている。従って、仮に全ての制御信号配線を第２制御信号配線とした場合に比べると、非表示部ＮＡＡにおける制御信号配線３１の配線領域が小さなものとなる。また、第２制御信号配線３１Ｂは、第１制御信号配線３１Ａに比べると、配線長を同じに揃えた場合に配線抵抗が低くなる。これにより、第２制御信号配線３１Ｂの配線抵抗を低くしつつも、液晶表示装置１０における外形の小型化や狭額縁化などを図る上で一層好適となる。なお、以下では、制御信号配線３１を区別する場合には、「第１制御信号配線」に関する符号に添え字「Ａ」を、「第２制御信号配線」に関する符号に添え字「Ｂ」を付し、区別せずに総称する場合には、符号に添え字を付さないものとする。また、以下では、パネル側制御出力端子部２４Ｂのうち、第１制御信号配線３１Ａに接続されたものを第１パネル側制御出力端子部２４Ｂ１とし、第２制御信号配線３１Ｂに接続されたものを第２パネル側制御出力端子部２４Ｂ２とするものとし、これらを区別する場合には、「第１パネル側制御出力端子部」に関する符号に添え字「１」を、「第２パネル側制御出力端子部」に関する符号に添え字「２」を付し、区別せずに総称する場合には、符号に添え字を付さないものとする。
【００５０】  第１制御信号配線３１Ａに接続された第１パネル側制御出力端子部２４Ｂ１は、図４に示すように、パネル側出力端子部２４群の中でも、パネル側画像出力端子部２４Ａ群に対して隣り合う形で配されている。つまり、第１パネル側制御出力端子部２４Ｂ１には、パネル側画像出力端子部２４Ａ群のうちの図４に示す左端に位置するパネル側画像出力端子部２４Ａに対して隣り合う配置となるものが含まれている。第１制御信号配線３１Ａ及び第１パネル側制御出力端子部２４Ｂ１は、Ｘ軸方向に沿って３つずつ並んで配されている。第１制御信号配線３１Ａは、その線幅が全長にわたってほぼ一定とされている。第１制御信号配線３１Ａは、第１パネル側制御出力端子部２４Ｂ１からＹ軸方向に沿って列制御回路部２７側（表示部ＡＡ側）とは反対側に引き出されてから、第２制御信号配線３１Ｂよりもパネル側入力端子部２３に近い位置でほぼ直角に屈曲されてからＸ軸方向に沿って延在することで、ドライバ２１の短辺２１Ｓを横切ってドライバ２１の実装領域外に引き出されている。引き出された第１制御信号配線３１Ａは、所定の位置にてほぼ直角に屈曲されて列制御回路部２７（表示部ＡＡ）に近づくようＹ軸方向に沿って延在した後に列制御回路部２７に到達する手前の位置にてほぼ直角に屈曲されてＸ軸方向に沿って外向き、つまり行制御回路部２８に近づくよう延在する。
【００５１】  ここで、第１制御信号配線３１Ａは、図６に示すように、列制御回路部２７に到達する手前の位置での屈曲箇所（第１パネル側制御出力端子部２４Ｂ１側から数えて３つ目の屈曲箇所）を境界にして異なる金属膜から構成されており、境界となる屈曲箇所よりも第１パネル側制御出力端子部２４Ｂ１に相対的に近い側の部分が下層側の第１金属膜からなる第１配線部３３とされるのに対し、第１パネル側制御出力端子部２４Ｂ１から相対的に遠い側（列制御回路部２７側（表示部ＡＡ側））の部分が第１金属膜に対して絶縁膜ＩＦを介して積層される上層側の第２金属膜からなる第２配線部３４とされる。第１配線部３３と第２配線部３４とは、図７及び図８に示すように、上記した境界となる屈曲箇所において端部同士が平面に視て重畳するとともに、その重畳部位に開口する形で絶縁膜ＩＦに形成されたコンタクトホールＣＨを通して相互に電気的に接続されている。なお、図７では、コンタクトホールＣＨを破線により図示している。第１制御信号配線３１Ａを構成する第１配線部３３と第２配線部３４とを接続するためのコンタクトホールＣＨは、第１配線部３３と第２配線部３４との重畳部位に２つ設けられており、それにより相互に絶縁膜ＩＦを介して異なる層（レイヤー）に配された第１配線部３３と第２配線部３４とが２箇所にて電気的な接続が図られている。この２つのコンタクトホールＣＨは、第１配線部３３における幅方向であるＸ軸方向に沿って並んで配されている。各第１制御信号配線３１Ａを構成する第１配線部３３は、図６に示すように、第１パネル側制御出力端子部２４Ｂ１から引き出されてから第２配線部３４と接続されるまでの間に途中で他の第１制御信号配線３１Ａを構成する第２配線部３４や後述する第２制御信号配線３１Ｂと絶縁膜ＩＦを介して交差している。これに対し、列制御回路部２７に接続されるものを除いた各第１制御信号配線３１Ａを構成する第２配線部３４は、第１配線部３３と接続されてから列制御回路部２７または行制御回路部２８に達するまでの間に途中で他の第１制御信号配線３１Ａを構成する第１配線部３３と絶縁膜ＩＦを介して交差している。また、第１制御信号配線３１Ａを構成する第１配線部３３及び第２配線部３４は、互いに線幅がほぼ等しいものとされる。
【００５２】  ３本の第１制御信号配線３１Ａには、図６に示すように、一方の端部が列制御回路部２７に接続されるもの（１本）と、一方の端部が行制御回路部２８に接続されるもの（２本）とが含まれている。行制御回路部２８に接続される２本の第１制御信号配線３１Ａは、第１配線部３３が、第２パネル側制御出力端子部２４Ｂ２と、列制御回路部２７に接続される第１制御信号配線３１Ａが接続される第１パネル側制御出力端子部２４Ｂ１との間に挟み込まれた２つの第１パネル側制御出力端子部２４Ｂ１からそれぞれ引き出されるのに対し、第２配線部３４が、第１配線部３３との接続箇所からＸ軸方向に沿って外向きに延在した後にほぼ直角に屈曲されてからＹ軸方向に沿って延在することで、行制御回路部２８の短辺部に達している。このうち、第２パネル側制御出力端子部２４Ｂ２に対して隣り合う第１パネル側制御出力端子部２４Ｂ１に接続された第１制御信号配線３１Ａをなす第１配線部３３は、ドライバ２１の実装領域外に配されてＸ軸方向に沿って延在する部分の一部が蛇行部３２とされている。一方、列制御回路部２７に接続される１本の第１制御信号配線３１Ａは、第１配線部３３が端に位置するパネル側画像出力端子部２４Ａに対して隣り合う第１パネル側制御出力端子部２４Ｂ１から引き出されるのに対し、第２配線部３４が第１配線部３３との接続箇所からＸ軸方向に沿って外向きに延在した後にほぼ直角に２度屈曲されることで、列制御回路部２７の短辺部に達しているのだが、その途中のＸ軸方向に沿って延在する部分の一部が蛇行部３２とされている。蛇行部３２は、第１制御信号配線３１Ａの一部をほぼ直角に２度連続して屈曲することで形成される折り返し状部３２ａを、隣り合うものが互いに逆向きとなるようＸ軸方向に沿って繰り返し並べることで、全体として平面に視て略ジグザグ状に蛇行した形状をなしている。蛇行部３２を有する第１制御信号配線３１Ａは、蛇行部３２を有さない第１制御信号配線３１Ａに比べると、延面距離（配線長）が長くなるとともに配線抵抗が相対的に高くなっている。この蛇行部３２を有する第１制御信号配線３１Ａには、上記したように列制御回路部２７に接続されるものと、行制御回路部２８に接続されるものとが含まれており、これら列制御回路部２７及び行制御回路部２８には、ＥＳＤ保護回路が内蔵されている。従って、仮に、ＥＳＤに伴うサージが蛇行部３２を有する第１制御信号配線３１Ａに入力された場合でも、サージをＥＳＤ保護回路へと逃がすことができ、もってサージから行制御回路部２８と列制御回路部２７とを保護することができる。なお、図４では、蛇行部３２を簡略化して図示している。
【００５３】  第２制御信号配線３１Ｂに接続された第２パネル側制御出力端子部２４Ｂ２は、図４に示すように、パネル側出力端子部２４群の中でも、第１パネル側制御出力端子部２４Ｂ１群に対してパネル側画像出力端子部２４Ａ群側とは反対側に隣り合う位置（パネル側出力端子部２４群の中で最も端となる位置）に配されている。つまり、第２パネル側制御出力端子部２４Ｂ２は、パネル側画像出力端子部２４Ａ群のうちの図４に示す左端に位置するパネル側画像出力端子部２４Ａに対して間に第１パネル側制御出力端子部２４Ｂ１群を挟む形で配されており、パネル側出力端子部２４群の中では最も行制御回路部２８の近くに配されている。第２制御信号配線３１Ｂ及び第２パネル側制御出力端子部２４Ｂ２は、Ｘ軸方向に沿って２つずつ並んで配されている。従って、仮に第１パネル側制御出力端子部と第２パネル側制御出力端子部との配置を入れ替えた場合に比べると、第２制御信号配線３１Ｂは、その配線長が第１制御信号配線３１Ａの配線長よりも短くなるので、線幅が広い部分を有することも相まって配線抵抗がさらに低いものとなる。しかも、ドライバ２１の実装領域内における第２制御信号配線３１Ｂの配線長が短いものとなるから、第２制御信号配線３１Ｂに対するドライバ２１の機械的な干渉が生じ難くなるとともに、ドライバ２１が有する回路にノイズなどの影響が生じ難くなる。第２制御信号配線３１Ｂは、第２パネル側制御出力端子部２４Ｂ２からＹ軸方向に沿って列制御回路部２７側（表示部ＡＡ側）とは反対側に引き出されてから、第１制御信号配線３１Ａよりもパネル側入力端子部２３から遠い位置でほぼ直角に屈曲されてからＸ軸方向に沿って延在することで、ドライバ２１の短辺２１Ｓを横切ってドライバ２１の実装領域外に引き出されている。引き出された第２制御信号配線３１Ｂは、所定の位置にてほぼ直角に屈曲されて列制御回路部２７（表示部ＡＡ）に近づくようＹ軸方向に沿って延在した後に列制御回路部２７に到達する手前の位置にてほぼ直角に屈曲されてＸ軸方向に沿って外向き、つまり行制御回路部２８に近づくよう延在する。それから第２制御信号配線３１Ｂは、再びほぼ直角に屈曲されて列制御回路部２７（表示部ＡＡ）に近づくようＹ軸方向に沿って延在してから、さらに再びほぼ直角に屈曲されてＸ軸方向に沿って外向きに延在する過程で３本の第１制御信号配線３１Ａを横切った後に、ほぼ直角に屈曲されることでＹ軸方向に沿って延在して行制御回路部２８の短辺部に達している。
【００５４】  ここで、第２制御信号配線３１Ｂは、図６に示すように、上記した第１制御信号配線３１Ａと同様に異なる２つの金属膜から構成されている。詳しくは、第２制御信号配線３１Ｂは、第１制御信号配線３１Ａを横切る手前の位置での屈曲箇所（第２パネル側制御出力端子部２４Ｂ２側から数えて５つ目の屈曲箇所）を境界にして異なる金属膜から構成されており、境界となる屈曲箇所よりも第２パネル側制御出力端子部２４Ｂ２に相対的に近い側の部分が下層側の第１金属膜からなる第１配線部３５とされるのに対し、第２パネル側制御出力端子部２４Ｂ２から相対的に遠い側（列制御回路部２７側（表示部ＡＡ側））の部分が第１金属膜に対して絶縁膜ＩＦを介して積層される上層側の第２金属膜からなる第２配線部３６とされる。そして、第２制御信号配線３１Ｂは、線幅が２段階となっており、第１配線部３５が第２配線部３６に比べると、線幅が相対的に広く、拡幅されている。つまり、第２制御信号配線３１Ｂは、ドライバ２１の実装領域内に配されて第２パネル側制御出力端子部２４Ｂ２に接続されるとともにドライバ２１の短辺２１Ｓを横切る部分を少なくとも含む第１配線部３５が相対的に線幅が広い幅広部分（拡幅部分）とされるのに対し、全域がドライバ２１の実装領域外に配されて行制御回路部２８に接続される部分である第２配線部３６が相対的に線幅が狭い幅狭部分（基準幅部分）とされている。ここで、第２制御信号配線３１Ｂのうち、ドライバ２１の短辺２１Ｓを横切る部分を含む第１配線部３５は、非表示部ＮＡＡにおいて、パネル側出力端子部２４と表示部ＡＡとの間の領域に比べると、スペース的に比較的に余裕のある領域に配されているので、この第１配線部３５が拡幅されることで、非表示部ＮＡＡを小型に保ちつつ第２制御信号配線３１Ｂの配線抵抗の低減を好適に図ることができる。第２制御信号配線３１Ｂを構成する第１配線部３５及び第２配線部３６は、それぞれの線幅が全長にわたってほぼ一定（ほぼ不変）とされている。このうちの第２配線部３６は、その線幅が第１制御信号配線３１Ａ（第１配線部３３及び第２配線部３４）の線幅とほぼ同一とされている。従って、第２制御信号配線３１Ｂは、第１配線部３５のみが第１制御信号配線３１Ａよりも線幅が広いものとされている、と言える。第２制御信号配線３１Ｂを構成する第２配線部３６は、第１配線部３５と接続されてからＸ軸方向に沿って外向きに延在する過程で各第１制御信号配線３１Ａをなす各第１配線部３３と絶縁膜ＩＦを介して交差しているのに対し、第１配線部３５は、途中で第１制御信号配線３１Ａと交差することがないものとされる。
【００５５】  ところで、２本の第２制御信号配線３１Ｂには、制御信号としてクロック信号を行制御回路部２８に伝送するもの（クロック信号制御配線）と、制御信号として電源電圧信号を行制御回路部２８に伝送するもの（電源制御信号配線）との少なくともいずれかが含まれている。クロック信号を伝送する第２制御信号配線３１Ｂは、クロック信号に係るパルス波形に鈍りが生じるのが嫌われる種類の配線であることから、上記のように第１制御信号配線３１Ａよりも線幅を広くして配線抵抗を低くすることによって、ＴＦＴ１７に安定したパルス波形のクロック信号を供給することができるものとされる。電源電圧信号を伝送する第２制御信号配線３１Ｂは、行制御回路部２８を安定的に作動させるために電圧降下の発生が嫌われる種類の配線であることから、上記のように第１制御信号配線３１Ａよりも線幅を広くして配線抵抗を低くすることによって、行制御回路部２８を安定的に作動させることができる。しかも、第２制御信号配線３１Ｂを構成する、相対的に幅広な第１配線部３５が、図６に示すように、上記したように途中で第１制御信号配線３１Ａと交差することがないよう配索されているので、仮に第１配線部を第１制御信号配線３１Ａと交差するよう配索した場合に比べると、重畳面積が相対的に小さなものとなるので、第１制御信号配線３１Ａに伝送される各種信号によって、第２制御信号配線３１Ｂに伝送されるクロック信号または電源電圧信号が鈍る事態が生じ難くなっている。
【００５６】  なお、第１制御信号配線３１Ａは、第２制御信号配線３１Ｂに比べると、線幅が狭くて相対的に配線抵抗が高いものとなっている。従って、本実施形態では、第１制御信号配線３１Ａには、制御信号としてクロック信号や電源電圧信号以外の信号（例えばイニシャル信号、スタートパルス、スキャン方向の切り替え信号など）を伝送させるようにしている。
【００５７】  第２制御信号配線３１Ｂを構成する第１配線部３５と第２配線部３６とは、図７及び図９に示すように、上記した境界となる屈曲箇所において端部同士が平面に視て重畳するとともに、その重畳部位に開口する形で絶縁膜ＩＦに形成されたコンタクトホールＣＨを通して相互に電気的に接続されている。第２制御信号配線３１Ｂを構成する第１配線部３５と第２配線部３６とを接続するためのコンタクトホールＣＨは、第１配線部３５と第２配線部３６との重畳部位に５つ設けられており、それにより相互に絶縁膜ＩＦを介して異なる層（レイヤー）に配された第１配線部３５と第２配線部３６とが５箇所にて電気的な接続が図られている。この５つのコンタクトホールＣＨは、相対的に線幅が広い第１配線部３５における幅方向であるＸ軸方向に沿ってほぼ等間隔に並んで配されており、その配列間隔が第１制御信号配線３１Ａに係るコンタクトホールＣＨの配列間隔とほぼ等しくされている。第１配線部３５は、その線幅が第１制御信号配線３１Ａをなす第１配線部３３及び第２配線部３４の各線幅よりも広くなっているので、第１制御信号配線３１Ａに比べると相対的に多い５つのコンタクトホールＣＨを直線的に並列配置することが可能とされている。
【００５８】  また、３本の第１制御信号配線３１Ａのうち、列制御回路部２７に接続される第１制御信号配線３１Ａは、図６に示すように、全５本の制御信号配線３１の中でも第１配線部３３が最も外側（列制御回路部２７から遠い側）を通る配索経路とされ、且つ第２配線部３４が最も内側（列制御回路部２７に近い側）を通る配索経路とされているため、第１配線部３３が他の４本の制御信号配線３１を構成する第２配線部３４，３６に対して途中で絶縁膜ＩＦを介して交差している。行制御回路部２８に接続され且つ蛇行部３２を有さない第１制御信号配線３１Ａは、その第１配線部３３が２番目に外側を通る配索経路とされ、且つ第２配線部３４が２番目に内側を通る配索経路とされているため、第１配線部３３が行制御回路部２８に接続され且つ蛇行部３２を有する第１制御信号配線３１Ａと２本の第２制御信号配線３１Ｂとをなす各第２配線部３４，３６に対して絶縁膜ＩＦを介して交差している。行制御回路部２８に接続され且つ蛇行部３２を有する第１制御信号配線３１Ａは、第１配線部３３及び第２配線部３４が共に中央を通る配索経路とされているため、第１配線部３３が２本の第２制御信号配線３１Ｂをなす各第２配線部３６に対して絶縁膜ＩＦを介して交差している。言い換えると、３本の第１制御信号配線３１Ａは、いずれも第１配線部３３に２本の第２制御信号配線３１Ｂを横切らせ、その列制御回路部２７側の端部をコンタクトホールＣＨによって第２配線部３４の端部に接続する配索経路とされている。２本の第２制御信号配線３１Ｂは、第１配線部３５が互いに並行するとともにいずれの第１制御信号配線３１Ａとも交差することがないものの、第２配線部３６が３本の各第１制御信号配線３１Ａをなす第１配線部３３に対してそれぞれ絶縁膜ＩＦを介して交差している。
【００５９】  なお、詳しい図示は省略するが、画像信号配線３０に関しても、制御信号配線３１と同様にゲート配線１９及びパネル側画像出力端子部２４Ａと同じ第１金属膜からなるとともにパネル側画像出力端子部２４Ａに接続される第１配線部と、ソース配線２０と同じ第２金属膜からなるとともに列制御回路部２７に接続される第２配線部とから構成されており、第１配線部と第２配線部との重畳部位が絶縁膜に開口形成されたコンタクトホールを通して接続される構成となっている。
【００６０】  以上説明したように本実施形態の液晶表示装置（表示装置）１０は、画像を表示可能な表示部ＡＡ及び表示部ＡＡ外の非表示部ＮＡＡを有する液晶パネル（表示パネル）１１と、非表示部ＮＡＡに取り付けられ、制御回路基板（外部の信号供給源）１２から供給される入力信号を処理して生成した出力信号を表示部ＡＡに出力することで液晶パネル１１を駆動するものであって、液晶パネル１１の辺部に沿って長手状をなすドライバ（パネル駆動部）２１と、非表示部ＮＡＡに設けられ、ドライバ２１に接続される複数のパネル側出力端子部２４と、複数のパネル側出力端子部２４に含まれ、ドライバ２１の長辺２１Ｌに沿って並列する形で配される複数のパネル側画像出力端子部２４Ａと、複数のパネル側出力端子部２４に含まれ、ドライバ２１の長辺２１Ｌに沿って並列する形で配される複数のパネル側制御出力端子部２４Ｂと、非表示部ＮＡＡに設けられ、パネル側画像出力端子部２４Ａからドライバ２１の長辺２１Ｌを横切る形で引き出されて表示部ＡＡに向けて扇状に広がるよう引き回されるとともに、出力信号に含まれる画像信号を伝送する複数の画像信号配線３０と、非表示部ＮＡＡに設けられ、パネル側制御出力端子部２４Ｂからドライバ２１の短辺２１Ｓを横切る形で引き出されて表示部ＡＡに向けて引き回されるとともに、出力信号に含まれる制御信号を伝送する複数の制御信号配線３１と、を備える。
【００６１】  このようにすれば、液晶パネル１１の非表示部ＮＡＡに取り付けられたドライバ２１は、制御回路基板１２からの入力信号を処理して出力信号を生成し、その出力信号を出力する。このドライバ２１には、非表示部ＮＡＡに設けられたパネル側出力端子部２４が接続されているので、ドライバ２１からの出力信号に含まれる画像信号及び制御信号がパネル側出力端子部２４を介して画像信号配線３０及び制御信号配線３１により伝送されて表示部ＡＡに供給されることで、液晶パネル１１の駆動がなされる。
【００６２】  複数のパネル側出力端子部２４には、複数のパネル側画像出力端子部２４Ａと、複数のパネル側制御出力端子部２４Ｂとが含まれるとともに、それぞれドライバ２１の長辺２１Ｌに沿って並列する形で配されているので、仮に複数のパネル側画像出力端子部をドライバ２１の長辺２１Ｌに沿って並列しつつも複数のパネル側制御出力端子部をドライバ２１の短辺２１Ｓに沿って並列した場合に比べると、パネル側出力端子部２４の配置領域がドライバ２１の短辺２１Ｓに沿う方向について大型化するのが避けられている。これにより、非表示部ＮＡＡがドライバ２１の短辺２１Ｓに沿う方向について小さく保たれるので、当該液晶表示装置１０の外形の小型化や狭額縁化を図る上で好適とされる。
【００６３】  その上で、複数の制御信号配線３１は、パネル側制御出力端子部２４Ｂからドライバ２１の短辺２１Ｓを横切る形で引き出されて表示部ＡＡに向けて引き回されているから、仮に複数の制御信号配線を、パネル側画像出力端子部２４Ａからドライバ２１の長辺２１Ｌを横切る形で引き出されて表示部ＡＡに向けて扇状に広がるよう引き回される画像信号配線３０に倣う形で引き回した場合に比べると、パネル側出力端子部２４と表示部ＡＡとの間において制御信号配線３１を引き回すための領域が不要となるので、扇状に広がる画像信号配線３０の配置領域をより広く確保することができる。従って、表示部ＡＡの精細度が高められるのに伴い画像信号配線３０の本数が増加した場合でも、パネル側出力端子部２４と表示部ＡＡとの間の距離、すなわち非表示部ＮＡＡを小さく保ちつつ画像信号配線３０を引き回すことができる。もって当該液晶表示装置１０における外形の小型化や狭額縁化などを図る上でより好適となる。
【００６４】  また、複数の制御信号配線３１には、第１制御信号配線３１Ａと、少なくとも一部における線幅が第１制御信号配線３１Ａよりも拡幅されてなる第２制御信号配線３１Ｂとが少なくとも含まれている。このように、ドライバ２１の短辺２１Ｓを横切る複数の制御信号配線３１に、第１制御信号配線３１Ａと、少なくとも一部における線幅が第１制御信号配線３１Ａよりも拡幅されてなる第２制御信号配線３１Ｂとが含まれているので、仮に全ての制御信号配線を第２制御信号配線３１Ｂとした場合に比べると、非表示部ＮＡＡにおける制御信号配線３１の配線領域が小さなものとなる。従って、第２制御信号配線３１Ｂの配線抵抗を低くしつつも、当該液晶表示装置１０における外形の小型化や狭額縁化などを図る上で一層好適となる。
【００６５】  また、複数のパネル側制御出力端子部２４Ｂには、第１制御信号配線３１Ａが接続されるとともに、複数のパネル側画像出力端子部２４Ａのうちの端に位置するパネル側画像出力端子部２４Ａに対して隣り合う形で配される第１パネル側制御出力端子部２４Ｂ１と、第２制御信号配線３１Ｂが接続されるとともに、端に位置するパネル側画像出力端子部２４Ａに対して間に第１パネル側制御出力端子部２４Ｂ１を挟む形で配される第２パネル側制御出力端子部２４Ｂ２とが含まれている。このようにすれば、第２制御信号配線３１Ｂは、端に位置するパネル側画像出力端子部２４Ａに対して間に第１制御信号配線３１Ａが接続される第１パネル側制御出力端子部２４Ｂ１を挟む形で配される第２パネル側制御出力端子部２４Ｂ２からドライバ２１の短辺２１Ｓを横切る形で引き出されるから、第２制御信号配線３１Ｂの配線長を第１制御信号配線３１Ａの配線長よりも短くすることが可能となる。これにより、第２制御信号配線３１Ｂの配線抵抗を一層低減することができる。
【００６６】  また、第１制御信号配線３１Ａ及び第２制御信号配線３１Ｂは、相対的にパネル側制御出力端子部２４Ｂの近くに配される第１配線部３３，３５と、相対的にパネル側制御出力端子部２４Ｂから遠くに配され且つその一部が第１配線部３３，３５の一部に対して重畳配置される第２配線部３４，３６とをそれぞれ少なくとも有しており、第１配線部３３，３５と第２配線部３４，３６との間に介在する形で配されるとともに第１配線部３３，３５と第２配線部３４，３６との重畳部位に開口することで両配線部３３，３４，３５，３６を接続するコンタクトホールＣＨを有する絶縁膜ＩＦが備えられており、絶縁膜ＩＦは、第２制御信号配線３１Ｂを構成する第１配線部３３，３５と第２配線部３４，３６とを接続するコンタクトホールＣＨの数が、第１制御信号配線３１Ａを構成する第１配線部３３，３５と第２配線部３４，３６とを接続するコンタクトホールＣＨの数よりも多くなるよう形成されている。このように、第１制御信号配線３１Ａ及び第２制御信号配線３１Ｂが、それぞれ絶縁膜ＩＦに開口するコンタクトホールＣＨを通して互いに接続される第１配線部３３，３５と第２配線部３４，３６とを少なくとも有する構成とされているから、非表示部ＮＡＡにおける第１制御信号配線３１Ａ及び第２制御信号配線３１Ｂのレイアウトの自由度を高いものとすることができる。しかも、第２制御信号配線３１Ｂは、第１配線部３３，３５と第２配線部３４，３６とを接続するコンタクトホールＣＨの数が第１制御信号配線３１Ａよりも相対的に多くされているから、第１配線部３３，３５と第２配線部３４，３６との接続に係る抵抗が低いものとなって配線抵抗の一層の低減に好適である。
【００６７】  また、表示部ＡＡには、多数個のＴＦＴ（スイッチング素子）１７が行列状に並列配置されているのに対し、非表示部ＮＡＡには、少なくとも制御信号配線３１のうちの表示部ＡＡ側の端部に接続されるとともにＴＦＴ１７への制御信号の供給を制御する行制御回路部２８と、少なくとも画像信号配線３０のうちの表示部ＡＡ側の端部に接続されるとともにＴＦＴ１７への画像信号の供給を制御する列制御回路部２７とが設けられている。このようにすれば、表示部ＡＡにおいて行列状に並列配置された多数個のＴＦＴ１７は、行制御回路部２８により少なくとも制御信号配線３１からの制御信号の供給が制御されるとともに、列制御回路部２７により少なくとも画像信号配線３０からの画像信号の供給が制御されることで、適切に駆動されて表示部ＡＡに所定の画像が表示される。
【００６８】  また、第２制御信号配線３１Ｂには、制御信号としてクロック信号を伝送するクロック制御信号配線と、制御信号として行制御回路部２８または列制御回路部２７を駆動するための電源電圧信号を伝送する電源制御信号配線とが少なくとも含まれている。制御信号配線３１の中でも、クロック制御信号配線は、制御信号であるクロック信号に係るパルス波形に鈍りが生じるのが嫌われる種類の配線であり、電源制御信号配線は、行制御回路部２８または列制御回路部２７を安定的に作動させるために電圧降下の発生が嫌われる種類の配線である。このことから、これらクロック制御信号配線及び電源制御信号配線を少なくとも一部が拡幅された第２制御信号配線３１Ｂとすることで、その配線抵抗を低くすることができる。これにより、ＴＦＴ１７に安定したパルス波形のクロック信号を供給することができるとともに、行制御回路部２８または列制御回路部２７を安定的に作動させることができる。
【００６９】  また、第１制御信号配線３１Ａには、途中に蛇行した蛇行部を有するものが含まれており、行制御回路部２８と列制御回路部２７との少なくともいずれか一方には、蛇行部３２を有する第１制御信号配線３１Ａに対して電気的に接続されるＥＳＤ保護回路が内蔵されている。このようにすれば、第１制御信号配線３１Ａに蛇行部３２を有するものを含ませることで、その配線抵抗が蛇行部３２を有さないものに比べて高くなる。そして、蛇行部３２を有する第１制御信号配線３１Ａが行制御回路部２８と列制御回路部２７との少なくともいずれか一方に内蔵されたＥＳＤ保護回路に対して電気的に接続されているから、ＥＳＤに伴うサージが蛇行部３２を有する第１制御信号配線３１Ａに入力された場合でも、サージをＥＳＤ保護回路に逃がすことができ、サージから行制御回路部２８と列制御回路部２７とを保護することができる。
【００７０】  また、ＴＦＴ１７、行制御回路部２８及び列制御回路部２７は、それぞれ多結晶化されたシリコン薄膜を有している。このようにすれば、仮にアモルファスシリコン薄膜を用いた場合に比べると、電子移動度が高いので、高精細化及び低消費電力化を図る上で好適とされる。
【００７１】  また、第２制御信号配線３１Ｂは、少なくともパネル側制御出力端子部２４Ｂから引き出されてドライバ２１の短辺２１Ｓを横切る部分（第１配線部３５）における線幅が部分的に拡幅されてなる。第２制御信号配線３１Ｂのうち、パネル側制御出力端子部２４Ｂから引き出されてドライバ２１の短辺２１Ｓを横切る部分は、非表示部ＮＡＡにおいて、パネル側出力端子部２４と表示部ＡＡとの間の領域に比べると、スペース的に比較的に余裕のある領域に配されているので、当該部分を部分的に拡幅することで、非表示部ＮＡＡを小型に保ちつつ第２制御信号配線３１Ｂの配線抵抗の低減を好適に図ることができる。また、仮に全ての制御信号配線３１を、ドライバ２１の短辺２１Ｓを横切る部分における線幅が部分的に拡幅された第２制御信号配線３１Ｂとした場合に比べると、ドライバ２１の配置領域がその短辺２１Ｓに沿う方向について小型化される。
【００７２】  また、制御信号配線３１は、パネル側制御出力端子部２４Ｂからの引き出し方向が、画像信号配線３０におけるパネル側画像出力端子部２４Ａからの引き出し方向とは反対とされている。このようにすれば、制御信号配線３１がパネル側制御出力端子部２４Ｂと表示部ＡＡとの間に存在することがなくなるから、パネル側出力端子部２４と表示部ＡＡとの間において扇状に広がる画像信号配線３０の配線領域をさらに広く確保することができる。これにより、当該液晶表示装置１０が高精細化されて画像信号配線３０の本数が多くなった場合により有用とされる。
【００７３】  また、複数のパネル側制御出力端子部２４Ｂは、ドライバ２１の長辺２１Ｌにおける端位置に配されている。このようにすれば、パネル側制御出力端子部２４Ｂからドライバ２１の短辺２１Ｓを横切る形で引き出される制御信号配線３１においてドライバ２１と重畳する部分の長さを極力短くすることができるから、制御信号配線３１とドライバ２１との機械的な干渉が生じ難くなるとともに、ドライバ２１が有する回路にノイズなどの影響が生じ難くなる。
【００７４】  また、非表示部ＮＡＡには、ドライバ２１に接続されるパネル側入力端子部２３が、パネル側出力端子部２４に対してドライバ２１の短辺２１Ｓに沿う方向について並んで配設されており、制御信号配線３１は、パネル側出力端子部２４とパネル側入力端子部２３との間を通る形で配されている。このようにすれば、制御回路基板１２からの入力信号は、パネル側出力端子部２４を介してドライバ２１に供給される。ドライバ２１の短辺２１Ｓに沿う方向について並んで配設されたパネル側出力端子部２４とパネル側入力端子部２３との間に制御信号配線３１を通すことで、ドライバ２１の短辺２１Ｓを横切る形で制御信号配線３１を引き回すことができる。
【００７５】  また、表示パネルは、一対の基板１１ａ，１１ｂ間に液晶層（液晶）１１ｃを封入してなる液晶パネルとされる。このような表示装置は液晶表示装置１０として、種々の用途、例えば携帯型情報端末、携帯電話、ノートパソコン、携帯型ゲーム機などの各種電子機器に適用できる。
【００７６】  また、液晶パネル１１に対して対向状をなし且つ表示側とは反対側に配されるとともに液晶パネル１１に対して光を供給可能なバックライト装置（照明装置）１４を備える。このようにすれば、バックライト装置１４から供給される光を利用して、液晶パネル１１の表示部ＡＡに画像を表示させることができる。
【００７７】  ＜実施形態２＞  本発明の実施形態２を図１０または図１１によって説明する。この実施形態２では、検査配線３７及び検査端子部３８を設けたものを示す。なお、上記した実施形態１と同様の構造、作用及び効果について重複する説明は省略する。
【００７８】  本実施形態に係るアレイ基板１１１ｂにおける非表示部ＮＡＡには、図１０に示すように、制御信号配線１３１や列制御回路部１２７に接続されることでこれらを電気的に検査することが可能な検査配線３７が設けられている。さらには、非表示部ＮＡＡには、検査配線３７のうち、制御信号配線１３１側や列制御回路部１２７側とは反対側の端部に接続される検査端子部３８が設けられている。これら検査配線３７及び検査端子部３８を用いて行われる検査は、液晶パネル１１１の製造工程において、例えばドライバ１２１を実装する前の段階で行われる。検査配線３７には、一方の端部が制御信号配線１３１に接続される制御信号配線用検査配線３７Ａと、一方の端部が列制御回路部１２７に接続される列制御回路部用検査配線３７Ｂとの２種類が備えられている。検査端子部３８には、制御信号配線用検査配線３７Ａにおける他方の端部が接続される制御信号配線用検査端子部３８Ａと、列制御回路部用検査配線３７Ｂにおける他方の端部が接続される列制御回路部用検査端子部３８Ｂとの２種類が備えられている。なお、以下では、検査配線３７及び検査端子部３８を区別する場合には、「制御信号配線用検査配線及び制御信号配線用検査端子部」に関する符号に添え字「Ａ」を、「列制御回路部用検査配線及び列制御回路部用検査端子部」に関する符号に添え字「Ｂ」を付し、区別せずに総称する場合には、符号に添え字を付さないものとする。このうち、列制御回路部用検査端子部３８Ｂは、アレイ基板１１１ｂのうち、Ｘ軸方向について図１０に示す右側、つまり行制御回路部１２８（制御信号配線１３１）の配置領域とは反対側の端部付近に２つ配されている。列制御回路部用検査配線３７Ｂは、列制御回路部用検査端子部３８Ｂと、列制御回路部１２７のうち第１制御信号配線１３１Ａに接続される側とは反対側の短辺部とに接続されており、２本が互いに並行している。そして、列制御回路部用検査端子部３８Ｂに図示しない検査用パッドを接触させることで、列制御回路部１２７に断線や短絡などの電気的な異常が生じていないかを検査することが可能とされている。
【００７９】  一方、制御信号配線用検査端子部３８Ａは、図１０に示すように、アレイ基板１１１ｂのうち、制御信号配線１３１の配置領域に対してＹ軸方向について行制御回路部１２８（表示部ＡＡ）側とは反対側となる位置（端部付近）に、５つがＸ軸方向に沿って並んで配されている。そして、本実施形態に係る制御信号配線用検査配線３７Ａには、第１制御信号配線１３１Ａに接続される第１制御信号配線用検査配線（第１検査配線）３７Ａ１と、第２制御信号配線１３１Ｂに接続される第２制御信号配線用検査配線（第２検査配線）３７Ａ２とが含まれている。これに対し、制御信号配線用検査端子部３８Ａには、第１制御信号配線用検査配線３７Ａ１に接続される第１制御信号配線用検査端子部（第１検査端子部）３８Ａ１と、第２制御信号配線用検査配線３７Ａ２に接続される第２制御信号配線用検査端子部（第２検査端子部）３８Ａ２とが含まれている。第１制御信号配線用検査配線３７Ａ１及び第１制御信号配線用検査端子部３８Ａ１は、Ｘ軸方向について相対的にパネル側出力端子部１２４群（ドライバ１２１）の近くに３つずつ並んで配されるのに対し、第２制御信号配線用検査配線３７Ａ２及び第２制御信号配線用検査端子部３８Ａ２は、Ｘ軸方向について相対的にパネル側出力端子部１２４群（ドライバ１２１）から遠くに２つずつ並んで配されている。なお、以下では、制御信号配線用検査配線３７Ａ及び制御信号配線用検査端子部３８Ａを区別する場合には、「第１制御信号配線用検査配線及び第１制御信号配線用検査端子部」に関する符号に添え字「１」を、「第２制御信号配線用検査配線及び第２制御信号配線用検査端子部」に関する符号に添え字「２」を付し、区別せずに総称する場合には、符号に添え字を付さないものとする。
【００８０】  第１制御信号配線用検査配線３７Ａ１は、図１１に示すように、ゲート配線１１９などと同じ第１金属膜から構成されるとともに、第１制御信号配線１３１Ａのうちの第２配線部１３４に対して接続されている。詳しくは、第１制御信号配線用検査配線３７Ａ１は、第１制御信号配線用検査端子部３８Ａ１からＹ軸方向に沿って列制御回路部１２７（表示部ＡＡ）に向けて延在し、途中で第２制御信号配線１３１Ｂの第２配線部１３６や他の第１制御信号配線１３１Ａの第２配線部１３４を横切りつつ、その先端部（第１制御信号配線用検査端子部３８Ａ１側とは反対側の端部）が接続対象とされる第１制御信号配線１３１Ａの第２配線部１３４における途中の部分（具体的には、第１配線部１３３との接続部位よりもＸ軸方向について外寄りの部分）と平面に視て重畳する形で配されている。そして、第１制御信号配線用検査配線３７Ａ１と、接続対象とされる第１制御信号配線１３１Ａの第２配線部１３４との重畳部位は、絶縁膜（図示は省略する）に開口形成されたコンタクトホールＣＨを通して相互に電気的に接続されている。なお、第１制御信号配線用検査配線３７Ａ１におけるコンタクトホールＣＨを利用した接続構造は、上記した実施形態１に記載した第１配線部３３，３５と第２配線部３４，３６との接続構造と同様である（図８及び図９を参照）。第１制御信号配線用検査配線３７Ａ１と、接続対象とされる第１制御信号配線１３１Ａの第２配線部１３４とを接続するためのコンタクトホールＣＨは、第１制御信号配線用検査配線３７Ａ１と第２配線部１３４との重畳部位に２つが、第１制御信号配線用検査配線３７Ａ１の幅方向であるＸ軸方向に沿って並ぶ形で設けられている。互いに並行する３本の第１制御信号配線用検査配線３７Ａ１のうち、図１１に示す右端の第１制御信号配線用検査配線３７Ａ１は、列制御回路部１２７に接続される第１制御信号配線１３１Ａの第２配線部１３４に接続されており、その接続位置は、第２配線部１３４における第１配線部１３３との接続部位と蛇行部１３２との間の位置とされる。図１１に示す中央の第１制御信号配線用検査配線３７Ａ１は、行制御回路部１２８に接続され且つ蛇行部１３２を有さない第１制御信号配線１３１Ａの第２配線部１３４に接続されている。図１１に示す左端の第１制御信号配線用検査配線３７Ａ１は、行制御回路部１２８に接続され且つ蛇行部１３２を有する第１制御信号配線１３１Ａの第２配線部１３４に接続されている。そして、第１制御信号配線用検査端子部３８Ａ１に対して図示しない検査用パッドを接触させることで、第１制御信号配線１３１Ａ（特に第２配線部１３４）に断線や短絡などの電気的な異常が生じていないか（導通状態）を検査することが可能とされている。
【００８１】  一方、第２制御信号配線用検査配線３７Ａ２は、図１１に示すように、ゲート配線１１９などと同じ第１金属膜から構成されるとともに、第２制御信号配線１３１Ｂのうちの第２配線部１３６に対して接続されている。詳しくは、第２制御信号配線用検査配線３７Ａ２は、第２制御信号配線用検査端子部３８Ａ２からＹ軸方向に沿って行制御回路部１２８（表示部ＡＡ）に向けて延在してその先端部（第２制御信号配線用検査端子部３８Ａ２側とは反対側の端部）が接続対象とされる第２制御信号配線１３１Ｂの第２配線部１３６における途中の部分（具体的には、第１配線部１３５との接続部位よりもＸ軸方向について外寄りの部分）と平面に視て重畳する形で配されている。そして、第２制御信号配線用検査配線３７Ａ２と、接続対象とされる第２制御信号配線１３１Ｂの第２配線部１３６との重畳部位は、絶縁膜（図示は省略する）に開口形成されたコンタクトホールＣＨを通して相互に電気的に接続されている。なお、第２制御信号配線用検査配線３７Ａ２におけるコンタクトホールＣＨを利用した接続構造は、上記した実施形態１に記載した第１配線部３３，３５と第２配線部３４，３６との接続構造と同様である（図８及び図９を参照）。第２制御信号配線用検査配線３７Ａ２と、接続対象とされる第２制御信号配線１３１Ｂの第２配線部１３６とを接続するためのコンタクトホールＣＨは、第２制御信号配線用検査配線３７Ａ２と第２配線部１３６との重畳部位に２つが、第２制御信号配線用検査配線３７Ａ２の幅方向であるＸ軸方向に沿って並ぶ形で設けられている。互いに並行する２本の第２制御信号配線用検査配線３７Ａ２のうち、図１１に示す右側の第２制御信号配線用検査配線３７Ａ２は、他の第２制御信号配線１３１Ｂの第２配線部１３６を横切りつつ、最も端に位置する第２パネル側制御出力端子部１２４Ｂ２に接続された第２制御信号配線１３１Ｂの第２配線部１３６に接続されている。図１１に示す左側の第２制御信号配線用検査配線３７Ａ２は、中央寄りの第２パネル側制御出力端子部１２４Ｂ２に接続された第２制御信号配線１３１Ｂの第２配線部１３６に接続されている。第２配線部１３６における第２制御信号配線用検査配線３７Ａ２との接続位置は、第１制御信号配線用検査配線３７Ａ１との交差位置よりも行制御回路部１２８寄りの位置とされる。
【００８２】  そして、第２制御信号配線用検査端子部３８Ａ２に対して図示しない検査用パッドを接触させることで、第２制御信号配線１３１Ｂに断線や短絡などの電気的な異常が生じていないか（導通状態）を検査することが可能とされている。ここで、第２制御信号配線１３１Ｂは、途中で線幅が変化しており、第２配線部１３６が第１配線部１３５よりも相対的に幅狭で断線などが生じ易い傾向にあるのに対し、第２制御信号配線１３１Ｂが第２配線部１３６に接続されているので、第２配線部１３６における断線などの有無を適切に検査することができる。なお、第２制御信号配線１３１Ｂの第１配線部１３５は、相対的に幅広であり、本来的に断線が生じ難いことから、第２制御信号配線用検査配線３７Ａ２による検査を行わなくとも、第１配線部１３５に起因する不良を生じさせる可能性は極めて低くなっている。これにより、不良が生じた液晶パネル１１１（液晶表示装置）が出荷されるのを未然に防止する上で好適となる。
【００８３】  以上説明したように本実施形態によれば、非表示部ＮＡＡには、制御信号配線１３１に接続されることで制御信号配線１３１の導通状態を検査可能な検査配線３７が設けられており、検査配線３７には、第１制御信号配線１３１Ａに接続される第１制御信号配線用検査配線（第１検査配線）３７Ａ１と、第２制御信号配線１３１Ｂのうち線幅が拡幅された部分（第１配線部１３５）よりも表示部ＡＡ寄りの部分（第２配線部１３６）に接続される第２制御信号配線用検査配線（第２検査配線）３７Ａ２とが含まれている。このようにすれば、第１制御信号配線用検査配線３７Ａ１及び第２制御信号配線用検査配線３７Ａ２により第１制御信号配線１３１Ａ及び第２制御信号配線１３１Ｂの導通状態を検査することができる。このうち、第２制御信号配線１３１Ｂにおいて、線幅が拡幅された部分よりも表示部ＡＡ寄りの、線幅が相対的に細い部分は、線幅が拡幅された部分に比べて断線が生じ易いものの、そこに第２制御信号配線用検査配線３７Ａ２を接続することで、当該線幅が細い部分に断線が生じていた場合に検査によって断線を検出する確実性が高いものとなる。第２制御信号配線１３１Ｂのうち線幅が拡幅された部分は、本来的に断線が生じ難いことから、第２制御信号配線用検査配線３７Ａ２による検査が行われなくても、第２制御信号配線１３１Ｂに断線が生じた状態のまま当該液晶表示装置が出荷されるなどといった事態が生じ難くなる。
【００８４】  ＜実施形態３＞  本発明の実施形態３を図１２によって説明する。この実施形態３では、上記した実施形態１からドライバ２２１の構成、及び制御信号配線２３１の本数を変更したものを示す。なお、上記した実施形態１と同様の構造、作用及び効果について重複する説明は省略する。
【００８５】  本実施形態に係るドライバ２２１は、図１２に示すように、その短辺寸法が上記した実施形態１に記載したドライバ２１（図４を参照）よりも相対的に大きなものとされている。このドライバ２２１は、表示部ＡＡに表示される画像に係るデータを保持するためのＶＲＡＭ（ビデオＲＡＭ、グラフィックメモリ）を内蔵しており、そのために短辺方向について大型化している。このようなＶＲＡＭ内蔵型のドライバ２２１を用いることで、液晶パネルに係る消費電力の低減を図ることが可能とされる。
【００８６】  その一方、制御信号配線２３１及びパネル側制御出力端子部２２４Ｂは、８つずつ設けられており、上記した実施形態１に記載したもの（５つずつ）よりも増加している。詳しくは、制御信号配線２３１には、５つの第１制御信号配線２３１Ａと、３つの第２制御信号配線２３１Ｂとが含まれており、パネル側制御出力端子部２２４Ｂには、５つの第１パネル側制御出力端子部２２４Ｂ１と、３つの第２パネル側制御出力端子部２２４Ｂ２とが含まれている。８つの制御信号配線２３１は、全てパネル側制御出力端子部２２４Ｂから表示部ＡＡ側とは反対側に引き出されてから屈曲されてドライバ２２１の短辺２２１Ｓを横切る形で引き回されている。このように制御信号配線２３１の本数が上記した実施形態１よりも増加していても、ドライバ２２１がＶＲＡＭ内蔵型でその短辺寸法が大きなものとなっているので、全ての制御信号配線２３１を、ドライバ２２１の短辺２２１Ｓを横切る形で配索することができる。これにより、非表示部ＮＡＡにおけるドライバ２２１と表示部ＡＡとの間の領域において、扇状に広がる形で配索される画像信号配線２３０の引き回し領域を十分に確保することができる。以上により、画像信号配線２３０の引き回し領域を確保するために非表示部ＮＡＡを拡張する必要が生じることがなくなるので、アレイ基板２１１ｂの小型化及び狭額縁化などを図る上で好適となる。
【００８７】  ＜実施形態４＞  本発明の実施形態４を図１３によって説明する。この実施形態４では、上記した実施形態１から第２制御信号配線３３１Ｂにおける第１配線部３３５の線幅を変更したものを示す。なお、上記した実施形態１と同様の構造、作用及び効果について重複する説明は省略する。
【００８８】  本実施形態に係る第２制御信号配線３３１Ｂは、図１３に示すように、第１配線部３３５の線幅が途中で変更されており、幅狭部分３９と幅広部分４０とを有している。詳しくは、第２制御信号配線３３１Ｂを構成する第１配線部３３５は、第２パネル側制御出力端子部３２４Ｂ２から２つ目の屈曲箇所に至るまでの部分、つまり第２パネル側制御出力端子部３２４Ｂ２に接続されてドライバ３２１の短辺３２１Ｓを横切る部分が相対的に線幅が狭い幅狭部分３９とされるのに対し、残りの部分、つまり上記２つ目の屈曲箇所から第２配線部３３６との接続箇所に至るまでの部分が相対的に線幅が広い幅広部分４０とされている。幅狭部分３９は、ドライバ３２１の実装領域の内外にわたって配されるのに対し、幅広部分４０は、その全域がドライバ３２１の実装領域外に配される。また、幅狭部分３９の線幅は、第２配線部３３６の線幅とほぼ等しいものとされる。このように、第２制御信号配線３３１Ｂのうち、第２パネル側制御出力端子部３２４Ｂ２からドライバ３２１の短辺３２１Ｓを横切る位置までの部分を幅狭部分３９としているから、パネル側出力端子部３２４とパネル側入力端子部３２３との間に有される間隔が狭い場合、つまり例えばアレイ基板３１１ｂのさらなる小型化及び狭額縁化が進行し、ドライバ３２１の短辺３２１Ｓに係る寸法が短くされた場合により好適となる。
【００８９】  ＜実施形態５＞  本発明の実施形態５を図１４によって説明する。この実施形態５では、上記した実施形態４から第１パネル側制御出力端子部４２４Ｂ１、第２パネル側制御出力端子部４２４Ｂ２、第１制御信号配線４３１Ａ、及び第２制御信号配線４３１Ｂの配置を変更するとともに、第１配線部４３５の線幅を変更したものを示す。なお、上記した実施形態４と同様の構造、作用及び効果について重複する説明は省略する。
【００９０】  本実施形態に係る第２パネル側制御出力端子部４２４Ｂ２は、図１４に示すように、Ｘ軸方向について第１パネル側制御出力端子部４２４Ｂ１の間に挟まれた配置とされている。詳しくは、列制御回路部４２７に接続される第１制御信号配線４３１Ａが接続された第１パネル側制御出力端子部４２４Ｂ１は、パネル側画像出力端子部４２４Ａ群に対して隣り合う位置に配されているのに対し、２つの第２パネル側制御出力端子部４２４Ｂ２は、列制御回路部４２７に接続される第１制御信号配線４３１Ａが接続された第１パネル側制御出力端子部４２４Ｂ１と、行制御回路部４２８に接続される第１制御信号配線４３１Ａが接続された第１パネル側制御出力端子部４２４Ｂ１との間に挟まれた位置に配されている。第２制御信号配線４３１Ｂは、その配索経路が上記した実施形態１に記載した第１制御信号配線３１Ａの配索経路とほぼ同様とされている（図４を参照）。また、行制御回路部４２８に接続される第１制御信号配線４３１Ａは、その配索経路が上記した実施形態１に記載した第２制御信号配線３１Ｂの配索経路とほぼ同様とされている（図４を参照）。さらには、第２制御信号配線４３１Ｂは、上記した実施形態４と同様に、第１配線部４３５の線幅が途中で変更されており、幅狭部分４３９と幅広部分４４０とを有している。詳しくは、第２制御信号配線４３１Ｂを構成する第１配線部４３５は、第２パネル側制御出力端子部４２４Ｂ２から２つ目の屈曲箇所に至るまでの部分、つまり第２パネル側制御出力端子部４２４Ｂ２に接続されてドライバ４２１の短辺４２１Ｓを横切る部分が相対的に線幅が広い幅広部分４４０とされるのに対し、残りの部分、つまり上記２つ目の屈曲箇所から第２配線部４３６との接続箇所に至るまでの部分が相対的に線幅が狭い幅狭部分４３９とされている。また、幅狭部分４３９の線幅は、第２配線部４３６の線幅とほぼ等しいものとされる。
【００９１】  ＜実施形態６＞  本発明の実施形態６を図１５によって説明する。この実施形態６では、上記した実施形態１から第２制御信号配線５３１Ｂにおける第１配線部５３５及び第２配線部５３６の線幅の大小関係を逆転させたものを示す。なお、上記した実施形態１と同様の構造、作用及び効果について重複する説明は省略する。
【００９２】  本実施形態に係る第２制御信号配線５３１Ｂは、図１５に示すように、第２配線部５３６が第１配線部５３５に比べると、線幅が相対的に広く、拡幅されている。つまり、第２制御信号配線５３１Ｂは、ドライバ５２１の実装領域内に配されて第２パネル側制御出力端子部５２４Ｂ２に接続されるとともにドライバ５２１の短辺５２１Ｓを横切る部分を少なくとも含む第１配線部５３５が相対的に線幅が狭い幅狭部分とされるのに対し、全域がドライバ５２１の実装領域外に配されて行制御回路部５２８に接続される部分である第２配線部５３６が相対的に線幅が広い幅広部分とされている。第２制御信号配線５３１Ｂを構成する第１配線部５３５及び第２配線部５３６は、それぞれの線幅が全長にわたってほぼ一定（ほぼ不変）とされている。このうちの第１配線部５３５は、その線幅が第１制御信号配線５３１Ａ（第１配線部５３３及び第２配線部５３４）の線幅とほぼ同一とされている。従って、第２制御信号配線５３１Ｂは、第２配線部５３６のみが第１制御信号配線５３１Ａよりも線幅が広いものとされている、と言える。このように、第２制御信号配線５３１Ｂのうち、第２パネル側制御出力端子部５２４Ｂ２からドライバ５２１の短辺５２１Ｓを横切る位置までの第１配線部５３５が幅狭とされているから、パネル側出力端子部５２４とパネル側入力端子部５２３との間に有される間隔が狭い場合、つまり例えばアレイ基板５１１ｂのさらなる小型化及び狭額縁化が進行し、ドライバ５２１の短辺５２１Ｓに係る寸法が短くされた場合により好適となる。
【００９３】  ＜実施形態７＞  本発明の実施形態７を図１６によって説明する。この実施形態７では、上記した実施形態１から第１制御信号配線６３１Ａ及び第２制御信号配線６３１Ｂの配索経路を変更したものを示す。なお、上記した実施形態１と同様の構造、作用及び効果について重複する説明は省略する。
【００９４】  本実施形態に係る行制御回路部６２８に接続され且つ蛇行部６３２を有する第１制御信号配線６３１Ａは、図１６に示すように、その第２配線部６３４の一部に蛇行部６３２が形成されている。蛇行部６３２は、第２配線部６３４のうち第１配線部６３３との接続箇所付近に配されている。第２制御信号配線６３１Ｂは、その第１配線部６３５がドライバ６２１の短辺６２１Ｓを横切りつつＸ軸方向に沿って外向きに延在してからほぼ直角に屈曲されて列制御回路部６２７に向けてＹ軸方向に沿って延在した後、Ｘ軸方向及びＹ軸方向に対して傾斜するよう屈曲されてＸ軸方向について外向きに広がるよう所定距離にわたって延在し、その先端部が第２配線部６３６に接続される、といった経路で配索されている。
【００９５】  ＜実施形態８＞  本発明の実施形態８を図１７によって説明する。この実施形態８では、上記した実施形態７に記載したものに、上記した実施形態２と同様の検査配線７３７及び検査端子部７３８を追加したものを示す。なお、上記した実施形態２，７と同様の構造、作用及び効果について重複する説明は省略する。
【００９６】  本実施形態に係る検査配線７３７及び検査端子部７３８は、図１７に示すように、共に各制御信号配線７３１Ａ，７３１Ｂの第１配線部７３３，７３５と同じ第１金属膜から構成されており、各制御信号配線７３１Ａ，７３１Ｂの本数と同数（５つ）ずつ設けられている。検査配線７３７は、検査端子部７３８からＹ軸方向に沿って延在するとともに各制御信号配線７３１Ａ，７３１Ｂの第２配線部７３４，７３６に対して図示しないコンタクトホールを通して接続されている。
【００９７】  ＜実施形態９＞  本発明の実施形態９を図１８によって説明する。この実施形態９では、上記した実施形態１から第１制御信号配線８３１Ａの配索経路を変更したものを示す。なお、上記した実施形態１と同様の構造、作用及び効果について重複する説明は省略する。
【００９８】  本実施形態に係る第１制御信号配線８３１Ａは、図１８に示すように、第１配線部８３３が第２制御信号配線８３１Ｂに対して交差するものの、第２配線部８３４が互いに交差することがない形で配索されている。具体的には、列制御回路部８２７に接続される第１制御信号配線８３１Ａは、その第１配線部８３３が第２パネル側制御出力端子部８２４Ｂ２に対して隣り合う第１パネル側制御出力端子部８２４Ｂ１から引き出されるとともに第２制御信号配線８３１Ｂと交差する形で配索されるのに対し、第２配線部８３４が蛇行部８３２を有するとともに他の第１制御信号配線８３１Ａと交差することなく列制御回路部８２７に接続されるよう配索されている。行制御回路部８２８に接続され且つ蛇行部８３２を有さない第１制御信号配線８３１Ａは、その第１配線部８３３がパネル側画像出力端子部８２４Ａ群に対して隣り合う第１パネル側制御出力端子部８２４Ｂ１から引き出されるとともに第２制御信号配線８３１Ｂと交差する形で配索されるのに対し、第２配線部８３４が他の第１制御信号配線８３１Ａと交差することなく行制御回路部８２８に接続されるよう配索されている。行制御回路部８２８に接続され且つ蛇行部８３２を有する第１制御信号配線８３１Ａは、その第１配線部８３３が他の第１制御信号配線８３１Ａに接続された第１パネル側制御出力端子部８２４Ｂ１の間に挟まれた第１パネル側制御出力端子部８２４Ｂ１から引き出されるとともに第２制御信号配線８３１Ｂと交差する形で配索されるのに対し、第２配線部８３４が蛇行部を有するとともに他の第１制御信号配線８３１Ａと交差することなく行制御回路部８２８に接続されるよう配索されている。このように、本実施形態では、第１制御信号配線８３１Ａと第２制御信号配線８３１Ｂとが互いに交差するものの、第１制御信号配線８３１Ａ同士が交差せず且つ第２制御信号配線８３１Ｂ同士が交差しない配線構成とされる。
【００９９】  ＜実施形態１０＞  本発明の実施形態１０を図１９によって説明する。この実施形態１０では、上記した実施形態１から第１制御信号配線９３１Ａ及び第２制御信号配線９３１Ｂの配索経路などを変更したものを示す。なお、上記した実施形態１と同様の構造、作用及び効果について重複する説明は省略する。
【０１００】  本実施形態に係る制御信号配線９３１は、図１９に示すように、互いに交差することがない形で配索されており、そのためにパネル側制御出力端子部９２４Ｂをなす第１パネル側制御出力端子部９２４Ｂ１及び第２パネル側制御出力端子部９２４Ｂ２の配置が上記した実施形態１に記載したものとは逆とされている。具体的には、第２制御信号配線９３１Ｂが接続される第２パネル側制御出力端子部９２４Ｂ２は、パネル側出力端子部９２４群の中でも、パネル側画像出力端子部９２４Ａ群に対して隣り合う形で配されているのに対し、第１制御信号配線９３１Ａが接続される第１パネル側制御出力端子部９２４Ｂ１は、パネル側出力端子部９２４群の中でも、第２パネル側制御出力端子部９２４Ｂ２群に対してパネル側画像出力端子部９２４Ａ群側とは反対側に隣り合う位置（パネル側出力端子部９２４群の中で最も端となる位置）に配されている。
【０１０１】  列制御回路部９２７に接続される第１制御信号配線９３１Ａは、その第１配線部９３３が最も端に位置する第１パネル側制御出力端子部９２４Ｂ１から引き出されて配索されるのに対し、第２配線部９３４が蛇行部９３２を有するとともに列制御回路部９２７に接続されるよう配索されている。行制御回路部９２８に接続され且つ蛇行部９３２を有さない第１制御信号配線９３１Ａは、その第１配線部９３３が第２パネル側制御出力端子部９２４Ｂ２に対して隣り合う第１パネル側制御出力端子部９２４Ｂ１から引き出されて配索されるのに対し、第２配線部９３４が他の第２配線部９３４に並行しつつ行制御回路部９２８に接続されるよう配索されている。行制御回路部９２８に接続され且つ蛇行部９３２を有する第１制御信号配線９３１Ａは、その第１配線部９３３が他の第１制御信号配線９３１Ａに接続された第１パネル側制御出力端子部９２４Ｂ１の間に挟まれた第１パネル側制御出力端子部９２４Ｂ１から引き出されて配索されるのに対し、第２配線部９３４が他の第２配線部９３４に並行しつつ行制御回路部９２８に接続されるよう配索されている。２本の第２制御信号配線９３１Ｂは、第１配線部９３５及び第２配線部９３６が、行制御回路部９２８に接続された第１制御信号配線９３１Ａの第１配線部９３３及び第２配線部９３４にそれぞれ並行する形で配索されている。このように、本実施形態では、第１制御信号配線９３１Ａ同士が交差せず且つ第２制御信号配線９３１Ｂ同士が交差しないのに加えて、第１制御信号配線９３１Ａと第２制御信号配線９３１Ｂとが互いに交差しない配線構成とされる。
【０１０２】  ＜他の実施形態＞  本発明は上記記述及び図面によって説明した実施形態に限定されるものではなく、例えば次のような実施形態も本発明の技術的範囲に含まれる。  （１）上記した各実施形態では、外部接続端子部、パネル側入力端子部、及びパネル側出力端子部がゲート配線などを構成する第１金属膜からなるものを示したが、これらの各端子部がソース配線などを構成する第２金属膜からなる構成とすることも可能である。
【０１０３】  （２）上記した各実施形態では、画像信号配線及び制御信号配線における第１配線部がゲート配線などを構成する第１金属膜からなり、第２配線部がソース配線などを構成する第２金属膜からなる構成のものを示したが、第１配線部が第２金属膜からなり、第２配線部が第１金属膜からなる構成とすることも可能である。
【０１０４】  （３）上記した各実施形態以外にも、制御信号配線における第１配線部の形成範囲、及び第２配線部の形成範囲については適宜に変更可能である。
【０１０５】  （４）上記した各実施形態（実施形態６を除く）では、第２制御信号配線における第２配線部の線幅が第１配線部（幅広部分）の線幅よりも狭く且つ第１制御信号配線の線幅とほぼ等しくなるものを示したが、第２制御信号配線における第２配線部の線幅が第１配線部（幅広部分）の線幅よりも狭く且つ第１制御信号配線の線幅よりも幅広にしたり、逆に幅狭にすることが可能である。また、上記した実施形態６では、第２制御信号配線における第１配線部の線幅が第２配線部の線幅よりも狭く且つ第１制御信号配線の線幅とほぼ等しくなるものを示したが、第２制御信号配線における第１配線部の線幅が第２配線部の線幅よりも狭く且つ第１制御信号配線の線幅よりも幅広にしたり、逆に幅狭にすることが可能である。また、上記した各実施形態において、第２制御信号配線における第１配線部及び第２配線部の線幅が互いにほぼ等しく且つ第１制御信号配線の線幅よりも幅広とされる構成、つまり第２制御信号配線が全長にわたってほぼ一定の線幅とされる構成とすることも可能である。
【０１０６】  （５）上記した各実施形態では、パネル側出力端子部と、パネル側出力端子部から引き出される制御信号配線の第１配線部とが共に第１金属膜からなる構成としたものを示したが、パネル側出力端子部と、パネル側出力端子部から引き出される制御信号配線の第１配線部とが共に第２金属膜からなる構成とすることも可能である。それ以外にも、パネル側出力端子部と、パネル側出力端子部から引き出される制御信号配線の第１配線部とを互いに異なる金属膜からなる構成とすることも可能であり、その場合は絶縁膜のうちパネル側出力端子部及び第１配線部の双方と重畳する部分にコンタクトホールを形成すればよい。
【０１０７】  （６）上記した各実施形態では、画像信号配線及び制御信号配線が異なる２種類の金属膜からなる構成のものを示したが、画像信号配線及び制御信号配線が異なる２種類以上の金属膜からなる構成とすることも可能である。例えば、金属膜の種類を「３」とした場合には、画像信号配線及び制御信号配線が、それぞれ第１金属膜からなる第１配線部と、第１金属膜に対して絶縁膜を介して積層される第２金属膜からなる第２配線部と、第２金属膜に対して絶縁膜を介して積層される第３金属膜からなる第３配線部とからなる構成とすることが可能である。その場合、第１配線部と第２配線部と第３配線部とで線幅をそれぞれ異ならせて３種類の線幅（金属膜の数と同数の線幅）としたり、或いはいずれか２つの配線部については同じ線幅とし、残りの１つの配線部のみが異なる線幅とすることも可能である。
【０１０８】  （７）上記した各実施形態では、第１制御信号配線と第２制御信号配線とで、第１配線部と第２配線部とを接続するためのコンタクトホールの数が異なる構成のものを示したが、第１制御信号配線と第２制御信号配線とでコンタクトホールの数を同数とすることも可能である。その場合であっても、コンタクトホールによる第１配線部と第２配線部との接続面積については、第２制御信号配線の方が第１制御信号配線よりも大きくするのが好ましい。また、第１制御信号配線の方が第２制御信号配線よりもコンタクトホールの数が多くなる構成とすることも可能である。
【０１０９】  （８）上記した各実施形態以外にも、制御信号配線を構成する第１配線部と第２配線部とを接続するためのコンタクトホールの具体的な数は適宜に変更可能である。
【０１１０】  （９）上記した各実施形態以外にも、パネル側制御出力端子部からの制御信号配線の引き出し方向が、パネル側画像出力端子部からの画像信号配線の引き出し方向に対して１８０°以外の角度とされる構成を採ることも可能である。
【０１１１】  （１０）上記した各実施形態以外にも、制御信号配線の具体的な本数は適宜に変更可能である。その場合、第１制御信号配線の具体的な本数、及び第２制御信号配線の具体的な本数を適宜に変更可能であり、第１制御信号配線の本数が第２制御信号配線の本数よりも少なくなる構成や、第１制御信号配線と第２制御信号配線との本数を同数とする構成を採ることが可能である。また、制御信号配線により伝送する具体的な信号の種類は適宜に変更することが可能である。
【０１１２】  （１１）上記した各実施形態では、第１制御信号配線群に列制御回路部に対して接続されるものを含ませた場合を示したが、第２制御信号配線群に列制御回路部に対して接続されるものを含ませることも可能である。
【０１１３】  （１２）上記した各実施形態では、第１制御信号配線群に蛇行部を有するものを含ませた場合を示したが、蛇行部に代えて第１制御信号配線の線幅を局所的に狭くすることで、配線抵抗を高くすることも可能である。要は第１制御信号配線の途中に配線抵抗を高くするための「抵抗部」を設けることができるのであれば、蛇行部以外の構造物を設けることも可能である。
【０１１４】  （１３）上記した実施形態２において記載した検査配線及び検査端子部は、液晶パネルの製造工程で行われる検査において使用されるものであるが、これらを液晶パネルの駆動に係る配線及び端子部として利用することも可能である。
【０１１５】  （１４）上記した実施形態２以外にも、制御信号配線に対する検査配線の具体的な接続位置は、適宜に変更可能である。例えば、検査配線を制御信号配線のうちの第１配線部に接続することも可能である。また、検査配線及び検査端子部を第１金属膜ではなく、第２金属膜により構成することも可能である。さらには、検査配線と検査端子部とを互いに異なる金属膜からなる構成とすることも可能であり、その場合は絶縁膜のうち検査配線及び検査端子部の双方と重畳する部分にコンタクトホールを形成すればよい。
【０１１６】  （１５）上記した実施形態２では、全ての制御信号配線に対して検査配線を個別に接続した場合を示したが、一部の制御信号配線に対してのみ検査配線を接続することも可能である。また、複数本の制御信号配線に対して１本の検査配線を接続することも可能である。
【０１１７】  （１６）上記した実施形態３では、実施形態１からドライバをＶＲＡＭ内蔵型のものに変更するとともに、制御信号配線の本数を増加したものを示したが、実施形態１からドライバをＶＲＡＭ内蔵型のものに変更し、制御信号配線の本数については変更しない構成を採ることも可能である。また、実施形態１からドライバをＶＲＡＭ内蔵型のものに変更し、制御信号配線の本数を減少させることも可能である。
【０１１８】  （１７）上記した実施形態４，５以外にも、第２制御信号配線における第１配線部の幅広部分及び幅狭部分の具体的な形成範囲は適宜に変更することが可能である。
【０１１９】  （１８）上記した実施形態４，５では、第２制御信号配線における第１配線部が２種類の線幅を有するものを示したが、第２制御信号配線における第１配線部が３種類以上の線幅を有する構成とすることも可能である。
【０１２０】  （１９）上記した実施形態５では、第２制御信号配線の配置と共に第２制御信号配線における第１配線部の幅広部分の形成範囲（幅狭部分の形成範囲）を変更した場合を示したが、第２制御信号配線の配置のみを実施形態５に記載のように変更したり、第２制御信号配線における第１配線部の幅広部分の形成範囲（幅狭部分の形成範囲）のみを実施形態５に記載のように変更することが可能である。
【０１２１】  （２０）上記した実施形態６では、第２制御信号配線における第２配線部が全長にわたって幅広に形成されたものを示したが、上記した実施形態４，５の記載したものと同様に、第２制御信号配線における第２配線部が部分的に幅広に形成され、幅広部分と幅狭部分とを併有する構成とすることが可能である。さらには、第２制御信号配線における第２配線部が３種類以上の線幅を有する構成とすることも可能である。
【０１２２】  （２１）上記した実施形態４〜６，９，１０に記載した構成に、実施形態２に記載した構成、つまり検査配線及び検査端子部を追加することが可能である。
【０１２３】  （２２）上記した実施形態９では、第１制御信号配線と第２制御信号配線とが交差するものの、第１制御信号配線同士が交差せず、且つ第２制御信号配線同士が交差しない構成であるから、例えば第１制御信号配線を第１金属膜と第２金属膜とのうちの一方のみにより構成するのに対し、第２制御信号配線を第１金属膜と第２金属膜とのうちの他方のみにより構成することも可能である。
【０１２４】  （２３）上記した実施形態１０の変形例として、全ての制御信号配線を単一の金属膜（第１金属膜または第２金属膜）により構成することが可能である。
【０１２５】  （２４）上記した各実施形態では、行制御回路部がアレイ基板における一方の長辺側の端部に配されるものを示したが、行制御回路部がアレイ基板における一対の長辺側の端部に一対配される構成のものにも本発明は適用可能である。その場合、パネル側出力端子部群のうち、ドライバの長辺における両端側にパネル側制御出力端子部をそれぞれ複数ずつ配置すればよい。
【０１２６】  （２５）上記した各実施形態以外にも、各パネル側制御出力端子部の具体的な配置や、各制御信号配線の具体的な配索経路などについては適宜に変更可能である。
【０１２７】  （２６）上記した各実施形態では、アレイ基板の非表示部に列制御回路部及び行制御回路部を設けるようにした場合を示したが、列制御回路部及び行制御回路部を省略することも可能である。その場合、制御信号配線の線幅を全て同一とすることが可能である。また、それ以外にも、列制御回路部及び行制御回路部を設けたアレイ基板において、制御信号配線の線幅を全て同一とすることが可能である。
【０１２８】  （２７）上記した各実施形態では、ＴＦＴ、列制御回路部及び行制御回路部が半導体膜としてＣＧシリコン薄膜を有する構成のものを示したが、それ以外にも、例えば、アモルファスシリコン（ａ‐Ｓｉ）または酸化物半導体（ＩＧＺＯ：ＩｎＧａＺｎＯｘ）などからなる半導体膜を用いることも可能である。
【０１２９】  （２８）上記した各実施形態では、縦長な方形状をなす液晶パネルを例示したが、横長な方形状をなす液晶パネルや正方形状をなす液晶パネルにも本発明は適用可能である。
【０１３０】  （２９）上記した各実施形態に記載した液晶パネルに対して、タッチパネルや視差バリアパネル（スイッチ液晶パネル）などの機能性パネルを積層する形で取り付けるようにしたものも本発明に含まれる。
【０１３１】  （３０）上記した各実施形態では、液晶表示装置が備えるバックライト装置としてエッジライト型のものを例示したが、直下型のバックライト装置を用いるようにしたものも本発明に含まれる。
【０１３２】  （３１）上記した各実施形態では、外部光源であるバックライト装置を備えた透過型の液晶表示装置を例示したが、本発明は、外光を利用して表示を行う反射型液晶表示装置にも適用可能であり、その場合はバックライト装置を省略することができる。
【０１３３】  （３２）上記した各実施形態では、液晶表示装置のスイッチング素子としてＴＦＴを用いたが、ＴＦＴ以外のスイッチング素子（例えば薄膜ダイオード（ＴＦＤ））を用いた液晶表示装置にも適用可能であり、またカラー表示する液晶表示装置以外にも、白黒表示する液晶表示装置にも適用可能である。
【０１３４】  （３３）上記した各実施形態では、表示パネルとして液晶パネルを用いた液晶表示装置を例示したが、他の種類の表示パネル（ＰＤＰ（プラズマディスプレイパネル）や有機ＥＬパネルなど）を用いた表示装置にも本発明は適用可能である。その場合、バックライト装置を省略することが可能である。
【０１３５】  （３４）上記した各実施形態では、小型または中小型に分類され、携帯型情報端末、携帯電話、ノートパソコン、デジタルフォトフレーム、携帯型ゲーム機、電子インクペーパなどの各種電子機器などに用いされる液晶パネルを例示したが、画面サイズが例えば２０インチ〜９０インチで、中型または大型（超大型）に分類される液晶パネルにも本発明は適用可能である。その場合、液晶パネルをテレビ受信装置、電子看板（デジタルサイネージ）、電子黒板などの電子機器に用いることが可能とされる。
【符号の説明】
【０１３６】  １０…液晶表示装置（表示装置）、１１，１１１…液晶パネル（表示パネル）、１１ａ…ＣＦ基板（基板）、１１ｂ，１１１ｂ，２１１ｂ，３１１ｂ，５１１ｂ…アレイ基板（基板）、１１ｃ…液晶層（液晶）、１２…制御回路基板（外部の信号供給源）、１４…バックライト装置（照明装置）、１７…ＴＦＴ（スイッチング素子）、２１，１２１，２２１，３２１，４２１，５２１，６２１…ドライバ（パネル駆動部）、２１Ｌ…長辺、２１Ｓ，２２１Ｓ，３２１Ｓ，４２１Ｓ，５２１Ｓ，６２１Ｓ…短辺、２３，１２３，３２３，４２３，５２３…パネル側入力端子部、２４，１２４，３２４，５２４，９２４…パネル側出力端子部、２４Ａ，４２４Ａ，８２４Ａ…パネル側画像出力端子部（パネル側出力端子部）、２４Ｂ，１２４Ｂ，２２４Ｂ，３２４Ｂ，５２４Ｂ，９２４Ｂ…パネル側制御出力端子部（パネル側出力端子部）、２４Ｂ１，１２４Ｂ１，２２４Ｂ１，４２４Ｂ１，９２４Ｂ１…第１パネル側制御出力端子部（パネル側出力端子部）、２４Ｂ２，１２４Ｂ２，２２４Ｂ２，３２４Ｂ２，４２４Ｂ２，５２４Ｂ２，８２４Ｂ２，９２４Ｂ２…第２パネル側制御出力端子部（パネル側出力端子部）、２７，１２７，４２７，６２７，９２７…列制御回路部、２８，１２８，２２８，４２８，５２８，６２８，９２８…行制御回路部、３０，２３０…画像信号配線、３１，１３１，２３１，９３１…制御信号配線、３１Ａ，１３１Ａ，２３１Ａ，４３１Ａ，５３１Ａ，６３１Ａ，７３１Ａ，８３１Ａ，９３１Ａ…第１制御信号配線、３１Ｂ，１３１Ｂ，２３１Ｂ，３３１Ｂ，４３１Ｂ，５３１Ｂ，６３１Ｂ，７３１Ｂ，８３１Ｂ，９３１Ｂ…第２制御信号配線（クロック制御信号配線、電源制御信号配線）、３２，１３２，６３２，８３２，９３２…蛇行部、３３，１３３，５３３，６３３，７３３，８３３，９３３…第１配線部、３４，１３４，５３４，６３４，７３４，８３４，９３４…第２配線部、３５，１３５，３３５，４３５，５３５，６３５，７３５，９３５…第１配線部、３６，１３６，３３６，４３６，５３６，６３６，７３６，９３６…第２配線部、３７，７３７…検査配線、３７Ａ…制御信号配線用検査配線（検査配線）、３７Ａ１…第１制御信号配線用検査配線（第１検査配線）、３７Ａ２…第２制御信号配線用検査配線（第２検査配線）、ＡＡ…表示部、ＣＨ…コンタクトホール、ＩＦ…絶縁膜、ＮＡＡ…非表示部
【図１】
0005976195.tif 000002
【図２】
0005976195.tif 000003
【図３】
0005976195.tif 000004
【図４】
0005976195.tif 000005
【図５】
0005976195.tif 000006
【図６】
0005976195.tif 000007
【図７】
0005976195.tif 000008
【図８】
0005976195.tif 000009
【図９】
0005976195.tif 000010
【図１０】
0005976195.tif 000011
【図１１】
0005976195.tif 000012
【図１２】
0005976195.tif 000013
【図１３】
0005976195.tif 000014
【図１４】
0005976195.tif 000015
【図１５】
0005976195.tif 000016
【図１６】
0005976195.tif 000017
【図１７】
0005976195.tif 000018
【図１８】
0005976195.tif 000019
【図１９】
0005976195.tif 000020